(57)【要約】  本出願は通信技術分野に関し、特に多様化しているサービスシナリオニーズを満たし、サービスデータ伝送効率を向上させるためのデータ伝送方法、装置及び記憶媒体に関する。本出願の実施例は、第一の装置がユーザ装置（ＵＥ）のサービス関連情報を取得することと、前記ＵＥのサービス関連情報に対応するデータ伝送パス情報を確定することとを含むデータ伝送方法を提供する。本出願の実施例はユーザ装置（ＵＥ）のサービス関連情報を取得することにより、前記ＵＥのサービス関連情報に対応するデータ伝送パス情報を確定する。サービス伝送の実際ニーズに基づいて伝送スキームを選択するという方式は、多様化しているサービスニーズを満たし、サービスデータ伝送効率を向上させることができる。
2019521593.tif 000002
【特許請求の範囲】
【請求項１】
データ伝送方法であって、
第一の装置がユーザ装置（ＵＥ）のサービス関連情報を取得することと、
前記ＵＥのサービス関連情報に対応するデータ伝送パス情報を確定することとを含む、前記データ伝送方法。
【請求項２】
前記データ伝送パス情報はサービス伝送スキーム情報及び／又は第一のユーザプレーンネットワーク要素情報を含み、
ここで、前記サービス伝送スキームがユーザプレーンスキーム又は制御プレーンスキームであり、前記ユーザプレーンスキームがユーザプレーンによってアクセスネットワークとサービスデータを伝送するというスキームを指し、前記制御プレーンスキームがユーザプレーンと制御プレーンとによってアクセスネットワークとサービスデータを伝送するというスキームを指すことを特徴とする
請求項１に記載の方法。
【請求項３】
前記サービス関連情報は、
サービスストリーム記述情報、サードパーティ識別情報、サービスタイプ情報、トラフィックタイプ情報、データ長さ情報、ＵＥタイプ情報、サードパーティ装置タイプ情報、サービス伝送スキーム指示情報、ＵＥ及び／又はサードパーティサーバーの位置情報のうちの一つ又は複数を含み、前記サービス伝送プラン指示情報は、ユーザプレーンスキーム又は制御プレーンスキームを使用してサービスデータを伝送することを示すことに用いられ、前記ユーザプレーンスキームがユーザプレーンによってアクセスネットワークとサービスデータを伝送するというスキームを指し、前記制御プレーンスキームがユーザプレーンと制御プレーンとによってアクセスネットワークとサービスデータを伝送するというスキームを指すことを特徴とする
請求項１に記載の方法。
【請求項４】
前記サードパーティ識別情報はサードパーティサービス事業者識別情報及び／又はサードパーティサービス事業者の下のサブサービス事業者識別情報を含み、
前記サービスストリーム記述情報はＩＰの５要素、ユニフォームリソースロケータ（ＵＲＬ）、サービスストリーム識別子のうちの一つ又は複数を含むことを特徴とする
請求項３に記載の方法。
【請求項５】
前記方法はさらに、
前記ＵＥの初回アタッチリクエストを受信した後、データベースから前記ＵＥのサブスクリプション情報又はポリシー情報を取得し、前記ＵＥのサブスクリプション情報又はポリシー情報に基づき、前記ＵＥのためのデータ接続を確立する必要があるか否かを判定すること、
又は、
前記ＵＥによって送信された初回アタッチリクエストにおける指示に応じて、前記ＵＥのためのデータ接続を確立する必要があるか否かを判定することを含むことを特徴とする
請求項１に記載の方法。
【請求項６】
第一の装置は
サードパーティサーバー、アプリケーションイネーブルメントプラットフォーム、ドメインネームシステム（ＤＮＳ）、データベース、ネットワーク側におけるパス選択機能を有する独立したネットワーク要素、制御プレーンネットワーク要素、制御プレーンの第二の機能エンティティ、第二のユーザプレーンネットワーク要素、アクセスネットワーク要素のうちの一つであり、ここで、制御プレーンに制御プレーンの第一の機能エンティティと制御プレーンの第二の機能エンティティが存在し、前記制御プレーンの第一の機能エンティティがＵＥのモビリティコンテキストを管理し、前記制御プレーンの第二の機能エンティティがＵＥのセッションコンテキストを管理するを特徴とする
請求項１に記載の方法。
【請求項７】
前記データベースは
ホーム加入者サーバー（ＨＳＳ）、又はポリシーデータベース、又はネットワーク側におけるデータ管理機能を有する独立したネットワーク要素であることを特徴とする
請求項６に記載の方法。
【請求項８】
前記第一の装置は前記制御プレーンネットワーク要素又は制御プレーンの第二の機能エンティティであり、
前記第一の装置がＵＥのサービス関連情報を取得することは、
前記第一の装置が指示ネットワーク要素によって送信されたデータ接続確立指示情報を受信し、前記データ接続確立指示情報に基づき、前記ＵＥのサービス関連情報を取得することを含み、
前記データ接続確立指示情報が前記ＵＥのための前記ＵＥのサービス関連情報に対応するデータ伝送パス情報を確定するように第一の装置に指示することに用いられることを特徴とする
請求項６に記載の方法。
【請求項９】
前記データ接続確立指示情報に前記ＵＥのサービス関連情報が含まれ、又は、
前記データ接続確立指示情報に前記ＵＥのサービス関連情報が含まれない場合、前記第一の装置が指示ネットワーク要素によって送信されたデータ接続確立指示情報に基づき、前記ＵＥのサービス関連情報を取得することは、
前記第一の装置が前記データ接続確立指示情報におけるＵＥ識別情報に基づき、ローカル、データベース、ポリシーサーバー、ドメインネームシステム（ＤＮＳ）サーバー、サードパーティサーバー、アプリケーションイネーブルメントプラットフォーム又はネットワーク側の独立したネットワーク要素において、前記ＵＥのサービス関連情報をクエリすることを含むことを特徴とする
請求項８に記載の方法。
【請求項１０】
前記指示ネットワーク要素は、
サードパーティサーバー、アプリケーションイネーブルメントプラットフォーム、ドメインネームシステム（ＤＮＳ）サーバー、データベース、ネットワーク側におけるパス選択機能を有する独立したネットワーク要素のうちの一つであることを特徴とする
請求項８に記載の方法。
【請求項１１】
前記指示ネットワーク要素がサードパーティサーバーであり、前記第一の装置が前記制御プレーンネットワーク要素である場合、前記制御プレーンネットワーク要素がサードパーティサーバーによって送信されたデータ接続確立指示情報を受信することは、
前記サードパーティサーバーから前記アプリケーションイネーブルメントプラットフォームを介して送信された前記データ接続確立指示情報を受信することを含むことを特徴とする
請求項１０に記載の方法。
【請求項１２】
前記第一の装置が前記制御プレーンの第二の機能エンティティである場合、前記制御プレーンの第二の機能エンティティが前記指示ネットワーク要素によって送信されたデータ接続確立指示情報を受信することは、
前記制御プレーンの第二の機能エンティティが前記制御プレーンの第一の機能エンティティから送信された、前記指示ネットワーク要素からのデータ接続確立指示情報を受信することを含み、ここで、前記指示ネットワーク要素からのデータ接続確立指示情報に前記ＵＥのサービス関連情報が含まれ又は含まれなく、
又は、
前記制御プレーンの第二の機能エンティティが前記制御プレーンの第一の機能エンティティから送信された、前記指示ネットワーク要素からのデータ接続確立指示情報及び前記制御プレーンの第一の機能エンティティによってクエリして得られた前記ＵＥのサービス関連情報を受信することを含み、ここで前記指示ネットワーク要素からのデータ接続確立指示情報に前記ＵＥのサービス関連情報が含まれないことを特徴とする
請求項８に記載の方法。
【請求項１３】
前記第一の装置が前記制御プレーンネットワーク要素であり、前記第一の装置が指示ネットワーク要素によって送信されたデータ接続確立指示情報を受信することは、
前記制御プレーンネットワーク要素が第二のユーザプレーンネットワーク要素から送信された、前記指示ネットワーク要素からのデータ接続確立指示情報を受信することを含み、ここで前記指示ネットワーク要素からのデータ接続確立指示情報に前記ＵＥのサービス関連情報が含まれ又は含まれなく、
又は、
前記制御プレーンネットワーク要素が前記第二のユーザプレーンネットワーク要素から送信された、前記指示ネットワーク要素からのデータ接続確立指示情報及び前記第二のユーザプレーンネットワーク要素によってクエリして得られた前記ＵＥのサービス関連情報を受信することを含み、ここで、前記指示ネットワーク要素からのデータ接続確立指示情報に前記ＵＥのサービス関連情報が含まれないことを特徴とする
請求項８に記載の方法。
【請求項１４】
前記ＵＥのサービス関連情報に対応するデータ伝送パス情報を確定した後、さらに
前記ＵＥのデータ伝送パス情報をサードパーティサーバーに通知することを含むことを特徴とする
請求項８に記載の方法。
【請求項１５】
第一の装置がユーザ装置のサービス関連情報を取得することは、
第一の装置がユーザ装置（ＵＥ）によって送信されたアクセスリクエストを受信し、前記アクセスリクエストに基づき、前記ＵＥのサービス関連情報を取得することを含むことを特徴とする
請求項１に記載の方法。
【請求項１６】
前記アクセスリクエストは初回アタッチリクエスト又はサービスリクエストであることを特徴とする
請求項１５に記載の方法。
【請求項１７】
前記アクセスリクエストに前記ＵＥのサービス関連情報が含まれ、又は、
前記アクセスリクエストに前記ＵＥのサービス関連情報が含まれない場合、前記アクセスリクエストに基づき、前記ＵＥのサービス関連情報を取得することは、
前記第一の装置が前記アクセスリクエストにおけるＵＥ識別情報に基づき、ローカル、データベース、ポリシーサーバー、ドメインネームシステム（ＤＮＳ）サーバー、サードパーティサーバー、アプリケーションイネーブルメントプラットフォーム又はネットワーク側の独立したネットワーク要素において、前記ＵＥのサービス関連情報をクエリすることを含むことを特徴とする
請求項１５に記載の方法。
【請求項１８】
前記第一の装置が前記制御プレーンの第二の機能エンティティである場合、前記制御プレーンの第二の機能エンティティが前記アクセスリクエストを受信することは、
前記制御プレーンの第二の機能エンティティが前記制御プレーンの第一の機能エンティティから送信された前記アクセスリクエストを受信することを含み、ここで前記アクセスリクエストに前記ＵＥのサービス関連情報が含まれ又は含まれなく、又は、
前記制御プレーンの第二の機能エンティティが前記制御プレーンの第一の機能エンティティから送信された前記アクセスリクエスト及び前記制御プレーンの第一の機能エンティティによってクエリして得られた前記ＵＥのサービス関連情報を受信することを含み、ここで前記アクセスリクエストに前記ＵＥのサービス関連情報が含まれないことを特徴とする
請求項１５に記載の方法。
【請求項１９】
前記第一の装置は前記制御プレーンネットワーク要素又は制御プレーンの第二の機能エンティティであり、
前記第一の装置が前記ＵＥのサービス関連情報に対応するデータ伝送パス情報を確定することは、
ローカル、データベース、ポリシーサーバー、ドメインネームシステム（ＤＮＳ）サーバー、サードパーティサーバー、アプリケーションイネーブルメントプラットフォーム又はネットワーク側のパス選択機能を有する独立したネットワーク要素において、前記ＵＥのサービス関連情報に対応するデータ伝送パス情報をクエリすることを含むことを特徴とする
請求項６に記載の方法。
【請求項２０】
前記第一の装置が前記制御プレーンネットワーク要素又は制御プレーンの第二の機能エンティティであり、前記確定されたサービス伝送スキームがユーザプレーンスキームである場合、
前記第一の装置が前記ＵＥのサービス関連情報に対応するデータ伝送パス情報を確定した後、さらに、
前記第一の装置が確定されたデータ伝送パスにおける第一のユーザプレーンネットワーク要素、前記ＵＥにアタッチされたアクセスネットワーク要素、及び前記ＵＥへソース割り当て指示情報を送信することを含み、
前記リソース割り当て指示情報がユーザプレーンスキームを使用することを示し、そしてサービスデータ伝送リソースを割り当てるように前記第一のユーザプレーンネットワーク要素、アクセスネットワーク要素、及び前記ＵＥに指示することに用いられることを特徴とする
請求項６に記載の方法。
【請求項２１】
前記方法はさらに、
指示ネットワーク要素から送信されたデータ接続削除指示情報を受信し、前記データ接続削除指示情報に基づき、前記ＵＥに割り当てられたサービスデータ伝送リソースを解放するように前記ＵＥにアクセスされる第一のユーザプレーンネットワーク要素及びアクセスネットワーク要素に指示することを含むことを特徴とする
請求項２０に記載の方法。
【請求項２２】
前記第一の装置は前記制御プレーンネットワーク要素又は制御プレーンの第二の機能エンティティであり、前記確定されたサービス伝送スキームは制御プレーンスキームであり、
前記第一の装置が前記ＵＥのサービス関連情報に対応するデータ伝送パス情報を確定した後、さらに、
前記第一の装置が確定されたデータ伝送パスにおける第一のユーザプレーンネットワーク要素へリソース割り当て指示情報を送信することを含み、前記リソース割り当て指示情報が制御プレーンスキームを使用して前記ＵＥのためにサービスデータを伝送することを示し、そしてサービスデータ伝送リソースを割り当てるように前記第一のユーザプレーンネットワーク要素に指示することに用いられることを特徴とする
請求項６に記載の方法。
【請求項２３】
前記方法は、さらに、
指示ネットワーク要素から送信されたデータ接続削除指示情報を受信し、前記データ接続削除指示情報に基づき、前記ＵＥに割り当てられたサービスデータ伝送リソースを解放するように前記ＵＥにアクセスされる第一のユーザプレーンネットワーク要素に指示することを含むことを特徴とする
請求項２２に記載の方法。
【請求項２４】
前記リソース割り当て指示情報はさらにサービスストリーム記述情報を含み、サービスストリーム記述情報と割り当てられたサービスデータ伝送リソースとのマッピング関係を保存するように指示することに用いられ、これにより送信待ちサービスデータを受信する時に、送信待ちサービスデータに含まれるサービスストリーム記述情報に基づいてそれに対応するサービスデータ伝送リソースを確定することを特徴とする
請求項２０〜２３のいずれか一項に記載の方法。
【請求項２５】
前記リソース割り当て指示情報はさらにサービス品質（ＱｏＳ）ポリシーを含み、前記ＱｏＳポリシーを満たすサービスデータ伝送リソースを割り当てるように指示することに用いられることを特徴とする
請求項２０〜２３のいずれか一項に記載の方法。
【請求項２６】
前記第一の装置が以下のステップに基づいて前記ＱｏＳポリシーを取得し、即ち、
前記第一の装置が取得された前記サービス関連情報に基づき、ローカル、データベース、ポリシーサーバー、ドメインネームシステム（ＤＮＳ）サーバー、サードパーティサーバー、アプリケーションイネーブルメントプラットフォーム又はネットワーク側におけるパス選択機能を有する独立したネットワーク要素において前記サービス関連情報に対応するＱｏＳポリシーをクエリすることを特徴とする
請求項２５に記載の方法。
【請求項２７】
前記第一の装置がサードパーティサーバー、アプリケーションイネーブルメントプラットフォーム、ドメインネームシステム（ＤＮＳ）サーバー、データベース、又はネットワーク側における独立したネットワーク要素である場合、前記第一の装置が前記ＵＥのサービス関連情報に対応するデータ伝送パス情報を確定した後、さらに、
確定されたデータ伝送パス情報を前記ＵＥにアクセスされる制御プレーンネットワーク要素又は制御プレーンの第二の機能エンティティに送信することを含むことを特徴とする
請求項６に記載の方法。
【請求項２８】
前記第一の装置がサードパーティサーバーである場合、前記サードパーティサーバーが確定されたデータ伝送パス情報を前記ＵＥにアクセスされる制御プレーンネットワーク要素又は制御プレーンの第二の機能エンティティに送信することは、
前記サードパーティサーバーがアプリケーションイネーブルメントプラットフォームを介して確定されたデータ伝送パス情報を前記ＵＥにアクセスされる制御プレーンネットワーク要素に送信し、又は、アプリケーションイネーブルメントプラットフォームを介して確定されたデータ伝送パス情報を制御プレーンの第一の機能エンティティに送信して制御プレーンの第一の機能エンティティによって制御プレーンの第二の機能エンティティに送信し、アプリケーションイネーブルメントプラットフォームを介して確定されたデータ伝送パス情報を送信することを含むことを特徴とする
請求項２７に記載の方法。
【請求項２９】
データ伝送方法であって、
指示ネットワーク要素がデータ接続確立指示情報を確定し、前記データ接続確立指示情報が前記ＵＥのための前記ＵＥのサービス関連情報に対応するデータ伝送パス情報を確定するように第一の装置に指示することに用いられることと、
前記データ接続確立指示情報を前記第一の装置に送信することと、を含む、前記データ伝送方法。
【請求項３０】
前記指示ネットワーク要素がサードパーティサーバーであり、前記第一の装置が制御プレーンネットワーク要素又は制御プレーンの第二の機能エンティティである場合、前記データ接続確立指示情報を前記第一の装置に送信することは、
サードパーティサーバーが前記データ接続確立指示情報をアプリケーションイネーブルメントプラットフォームを介して前記制御プレーンネットワーク要素に送信すること、又は、前記データ接続確立指示情報をアプリケーションイネーブルメントプラットフォームを介して第二のユーザプレーンネットワーク要素に送信し、第二のユーザプレーンネットワーク要素によって前記制御プレーンネットワーク要素に送信すること、
又は、
前記データ接続確立指示情報をアプリケーションイネーブルメントプラットフォームを介して制御プレーンの第一の機能エンティティに送信し、制御プレーンの第一の機能エンティティによって制御プレーンの第二の機能エンティティに送信すること、又は、前記データ接続確立指示情報をアプリケーションイネーブルメントプラットフォームを介して第二のユーザプレーンネットワーク要素に送信し、第二のユーザプレーンネットワーク要素によって制御プレーンの第一の機能エンティティに送信し、制御プレーンの第一の機能エンティティによって制御プレーンの第二の機能エンティティに送信することを含むことを特徴とする
請求項２９に記載の方法。
【請求項３１】
データ伝送方法であって、
制御プレーンの第一の機能エンティティが指示ネットワーク要素によって送信されたデータ接続確立指示情報を受信することと、
制御プレーンの第二の機能エンティティが前記ＵＥのための前記ＵＥのサービス関連情報に対応するデータ伝送パス情報を確定するように、前記制御プレーンの第一の機能エンティティが前記データ接続確立指示情報を制御プレーンの第二の機能エンティティに送信することとを含む、前記データ伝送方法。
【請求項３２】
前記データ接続確立指示情報に前記ＵＥのサービス関連情報が含まれない場合、制御プレーンの第一の機能エンティティが指示ネットワーク要素によって送信されたデータ接続確立指示情報を受信した後、さらに、
前記制御プレーンの第一の機能エンティティが前記データ接続確立指示情報におけるユーザ装置（ＵＥ）識別情報に基づいて前記ＵＥのサービス関連情報をクエリすることを含み、
前記制御プレーンの第一の機能エンティティが前記データ接続確立指示情報を制御プレーンの第二の機能エンティティに送信することは、
前記制御プレーンの第一の機能エンティティが前記データ接続確立指示情報及び前記ＵＥのサービス関連情報を制御プレーンの第二の機能エンティティに送信することを含むことを特徴とする
請求項３１に記載の方法。
【請求項３３】
前記指示ネットワーク要素がサードパーティサーバーである場合、前記制御プレーンの第一の機能エンティティが指示ネットワーク要素によって送信されたデータ接続確立指示情報を受信することは、
前記制御プレーンの第一の機能エンティティが前記サードパーティサーバーから前記アプリケーションイネーブルメントプラットフォームを介して送信された前記データ接続確立指示情報を受信することを含むことを特徴とする
請求項３１に記載の方法。
【請求項３４】
前記制御プレーンの第一の機能エンティティが指示ネットワーク要素によって送信されたデータ接続確立指示情報を受信することは、
前記制御プレーンの第一の機能エンティティが第二のユーザプレーンネットワーク要素から送信された、前記指示ネットワーク要素からのデータ接続確立指示情報を受信することを含むことを特徴とする
請求項３１に記載の方法。
【請求項３５】
データ伝送方法であって、
第二のユーザプレーンネットワーク要素が指示ネットワーク要素からのデータ接続確立指示情報を受信することと、
前記制御プレーンネットワーク要素が前記ＵＥのサービス関連情報に対応するデータ伝送パス情報を確定するように、前記データ接続確立指示情報を制御プレーンネットワーク要素に送信すること、又は、
前記制御プレーンの第二の機能エンティティが前記ＵＥのサービス関連情報に対応するデータ伝送パス情報を確定するように、前記データ接続確立指示情報を制御プレーンの第一の機能エンティティに送信し、制御プレーンの第一の機能エンティティによって制御プレーンの第二の機能エンティティに送信することとを含む、前記データ伝送方法。
【請求項３６】
前記指示ネットワーク要素がサードパーティサーバーである場合、前記第二のユーザプレーンネットワーク要素が指示ネットワーク要素からのデータ接続確立指示情報を受信することは、
前記第二のユーザプレーンネットワーク要素が前記サードパーティサーバーから前記アプリケーションイネーブルメントプラットフォームを介して送信された前記データ接続確立指示情報を受信することを含むことを特徴とする
請求項３５に記載の方法。
【請求項３７】
前記データ接続確立指示情報に前記ＵＥのサービス関連情報が含まれない場合、第二のユーザプレーンネットワーク要素が指示ネットワーク要素からのデータ接続確立指示情報を受信した後、さらに、
第二のユーザプレーンネットワーク要素が前記データ接続確立指示情報におけるユーザ装置（ＵＥ）識別情報に基づいて前記ＵＥのサービス関連情報をクエリすることを含み、
第二のユーザプレーンネットワーク要素が前記データ接続確立指示情報を制御プレーンネットワーク要素又は制御プレーンの第一の機能エンティティに送信することは、
第二のユーザプレーンネットワーク要素が前記データ接続確立指示情報及び前記ＵＥのサービス関連情報を制御プレーンの第二の機能エンティティに送信することを含むことを特徴とする
請求項３５に記載の方法。
【請求項３８】
データ伝送方法であって、
制御プレーンの第一の機能エンティティがＵＥによって送信されたアクセスリクエストを受信することと、
制御プレーンの第二の機能エンティティが前記ＵＥのための前記ＵＥのサービス関連情報に対応するデータ伝送パス情報を確定するように、前記制御プレーンの第一の機能エンティティが前記アクセスリクエストを制御プレーンの第二の機能エンティティに送信することとを含む、前記データ伝送方法。
【請求項３９】
前記アクセスリクエストに前記ＵＥのサービス関連情報が含まれない場合、制御プレーンの第一の機能エンティティがＵＥによって送信されたアクセスリクエストを受信した後、さらに、
前記制御プレーンの第一の機能エンティティが前記アクセスリクエストにおけるユーザ装置（ＵＥ）識別情報に基づいて前記ＵＥのサービス関連情報をクエリすることを含み、
前記制御プレーンの第一の機能エンティティが前記アクセスリクエストを制御プレーンの第二の機能エンティティに送信することは、
前記制御プレーンの第一の機能エンティティが前記アクセスリクエスト及び前記ＵＥのサービス関連情報を制御プレーンの第二の機能エンティティに送信することを含むことを特徴とする
請求項３８に記載の方法。
【請求項４０】
データ伝送方法であって、
ユーザ装置（ＵＥ）がアクセスリクエストを確定し、前記アクセスリクエストにＵＥ識別情報及び／又はサービス関連情報が含まれることと、
前記第一の装置が前記ＵＥのための前記ＵＥのサービス関連情報に対応するデータ伝送パス情報を確定するように、ユーザ装置ＵＥが第一の装置へ前記アクセスリクエストを開始することとを含む、前記データ伝送方法。
【請求項４１】
前記第一の装置が制御プレーンネットワーク要素又は制御プレーンの第二の機能エンティティであり、
前記第一の装置が制御プレーンの第二の機能エンティティである場合、ユーザ装置（ＵＥ）が第一の装置へ前記アクセスリクエストを開始することは、
制御プレーンの第一の機能エンティティが前記アクセスリクエストを制御プレーンの第二の機能エンティティに送信するように、前記ＵＥが前記クセスリクエストを制御プレーンの第一の機能エンティティに送信することを含むことを特徴とする
請求項４０に記載の方法。
【請求項４２】
前記方法はさらに、
前記ＵＥが初回アタッチリクエストを開始する時に、データ接続を確立する必要がないことを示すことを含むことを特徴とする
請求項４０に記載の方法。
【請求項４３】
データ伝送方法であって、
第二の装置が登録リクエスト情報を確定し、前記登録リクエスト情報にユーザ装置（ＵＥ）識別情報及び第二の装置識別情報が含まれ、前記第二の装置が制御プレーンネットワーク要素、制御プレーンの第一の機能エンティティ又は制御プレーンの第二の機能エンティティであることと、
第一の装置が前記ＵＥ識別情報と第二の装置識別情報との対応関係を保存し、前記対応関係に基づき、前記ＵＥにデータ接続サービスを提供するための第二の装置を確定するように、前記登録リクエスト情報を第一の装置に送信することとを含む、前記データ伝送方法。
【請求項４４】
前記登録リクエスト情報にＵＥのサービス関連情報が含まれ、
前記登録リクエスト情報を第一の装置に送信することは、
第一の装置が前記ＵＥ識別情報、サービス関連情報と第二の装置識別情報との対応関係を保存し、前記対応関係に基づき、前記ＵＥにデータ接続サービスを提供するための第二の装置を確定するように、前記ＵＥのサービス関連情報を含む登録リクエスト情報を第一の装置に送信することを含むことを特徴とする
請求項４３に記載の方法。
【請求項４５】
データ伝送方法であって、
第一の装置が第二の装置から送信された登録リクエスト情報を受信し、前記第二の装置が制御プレーンネットワーク要素、制御プレーンの第一の機能エンティティ又は制御プレーンの第二の機能エンティティであることと、
前記ＵＥ識別情報と第二の装置識別情報との対応関係を保存することと、
前記ＵＥのためのデータ接続を確立する必要がある時に、前記対応関係に基づき、前記ＵＥにデータ接続サービスを提供するための第二の装置を確定することとを含む、前記データ伝送方法。
【請求項４６】
前記登録リクエスト情報にＵＥのサービス関連情報が含まれ、
前記ＵＥ識別情報と第二の装置識別情報との対応関係を保存することは、
前記ＵＥ識別情報、サービス関連情報と第二の装置識別情報との対応関係を保存することを含むことを特徴とする
請求項４５に記載の方法。
【請求項４７】
前記登録リクエスト情報にＵＥのサービス関連情報が含まれなく、
前記ＵＥのためのデータ接続を確立する必要がある時に、前記対応関係に基づき、前記ＵＥにデータ接続サービスを提供するための第二の装置を確定することは、
前記ＵＥのためのデータ接続を確立する必要がある時に、前記対応関係、及び取得された前記ＵＥのサービス関連情報に基づき、前記ＵＥにデータ接続サービスを提供するための第二の装置を確定することを含むことを特徴とする
請求項４５に記載の方法。
【請求項４８】
データ伝送装置であって、
ユーザ装置（ＵＥ）のサービス関連情報を取得するように構成される取得モジュールと、
前記ＵＥのサービス関連情報に対応するデータ伝送パス情報を確定するように構成される確定モジュールとを備える、前記データ伝送装置。
【請求項４９】
データ伝送装置であって、
データ接続確立指示情報を確定するように構成され、前記データ接続確立指示情報が前記ＵＥのための前記ＵＥのサービス関連情報に対応するデータ伝送パス情報を確定するように第一の装置に指示することに用いられる確定モジュールと、
前記データ接続確立指示情報を前記第一の装置に送信するように構成される送信モジュールとを備える、前記データ伝送装置。
【請求項５０】
データ伝送装置であって、
指示ネットワーク要素によって送信されたデータ接続確立指示情報を受信するように構成される受信モジュールと、
制御プレーンの第二の機能エンティティが前記ＵＥのための前記ＵＥのサービス関連情報に対応するデータ伝送パス情報を確定するように、前記データ接続確立指示情報を制御プレーンの第二の機能エンティティに送信するように構成される送信モジュールとを備える、前記データ伝送装置。
【請求項５１】
データ伝送装置であって、
指示ネットワーク要素からのデータ接続確立指示情報を受信するように構成される受信モジュールと、
前記制御プレーンネットワーク要素が前記ＵＥのサービス関連情報に対応するデータ伝送パス情報を確定するように、前記データ接続確立指示情報を制御プレーンネットワーク要素に送信するように構成され、又は、
前記制御プレーンの第二の機能エンティティが前記ＵＥのサービス関連情報に対応するデータ伝送パス情報を確定するように、前記データ接続確立指示情報を制御プレーンの第一の機能エンティティに送信し、制御プレーンの第一の機能エンティティによって制御プレーンの第二の機能エンティティに送信するように構成される送信モジュールとを備える、前記データ伝送装置。
【請求項５２】
データ伝送装置であって、
ＵＥによって送信されたアクセスリクエストを受信するように構成される受信モジュールと、
制御プレーンの第二の機能エンティティが前記ＵＥのための前記ＵＥのサービス関連関係に対応するデータ伝送パス情報を確定するように、前記アクセスリクエストを制御プレーンの第二の機能エンティティに送信するように構成される送信モジュールとを備える、前記データ伝送装置。
【請求項５３】
データ伝送装置であって、
アクセスリクエストを確定するように構成され、前記アクセスリクエストにＵＥ識別情報及び／又はサービス関連情報が含まれる確定モジュールと、
前記第一の装置が前記ＵＥのための前記ＵＥのサービス関連情報に対応するデータ伝送パス情報を確定するように、第一の装置へ前記アクセスリクエストを開始するように構成される送信モジュールとを備える前記データ伝送装置。
【請求項５４】
データ伝送装置であって、
登録リクエスト情報を確定するように構成され、前記登録リクエスト情報にユーザ装置（ＵＥ）識別情報及び第二の装置識別情報が含まれ、前記第二の装置が制御プレーンネットワーク要素、制御プレーンの第一の機能エンティティ又は制御プレーンの第二の機能エンティティである確定モジュールと、
第一の装置が前記ＵＥ識別情報と第二の装置識別情報との対応関係を保存し、前記対応関係に基づき、前記ＵＥにデータ接続サービスを提供するための第二の装置を確定するように、前記登録リクエスト情報を第一の装置に送信するように構成される送信モジュールとを備える、前記データ伝送装置。
【請求項５５】
データ伝送装置であって、
第二の装置から送信された登録リクエスト情報を受信するように構成され、前記第二の装置が制御プレーンネットワーク要素、制御プレーンの第一の機能エンティティ又は制御プレーンの第二の機能エンティティである受信モジュールと、
前記ＵＥ識別情報と第二の装置識別情報との対応関係を保存するように構成される保存モジュールと、
前記ＵＥのためのデータ接続を確立する必要がある時に、前記対応関係に基づき、前記ＵＥにデータ接続サービスを提供するための第二の装置を確定するように構成されるデータ接続確立モジュールとを備える、前記データ伝送装置。
【請求項５６】
データ伝送装置であって、プロセッサとプロセッサで実行可能なコンピュータプログラムを記憶するためのメモリを備え、
ここで、前記プロセッサは前記コンピュータプログラムを実行する時に、請求項１−４７のいずれか一項に記載の方法のステップを実行することに用いられる、前記データ伝送装置。
【請求項５７】
記憶媒体であって、コンピュータプログラムを記憶しており、ここで該コンピュータプログラムがプロセッサによって実行される場合、請求項１−４７のいずれか一項に記載の方法のステップを実現する、前記記憶媒体。
【発明の詳細な説明】
【技術分野】
【０００１】
本出願は通信技術分野に関し、特にデータ伝送方法、装置及び記憶媒体に関する。
【０００２】
関連出願と相互参照．
本出願は、出願番号が２０１６１０４０５２６３．Ｘで、出願日が２０１６年０６月０８日である中国特許出願に基づいて提出され、且つ該中国特許出願の優先権を主張し、該中国特許出願のすべての内容が参照として本出願に組み込まれる。
【背景技術】
【０００３】
現在、ユーザ装置（ＵＥ：Ｕｓｅｒ  Ｅｑｕｉｐｍｅｎｔ）は、いかなるサービスデータでも伝送する必要がない場合、アイドル（Ｉｄｌｅ）状態にある。Ｉｄｌｅ状態はＵＥが電力を節約することに役立つとともに、ＵＥが移動する時にネットワーク側へハンドオーバープロセスを頻繁に開始し、ネットワーク側のシグナリング処理負荷を増大させることを回避することができる。
【０００４】
サードパーティサーバーはＵＥへダウンリンクデータパケットを送信する必要がある場合、下記のプロセスに基づいてデータ接続を確立する。
【０００５】
図１に示すように、サードパーティサーバーは、アイドル（Ｉｄｌｅ）状態にあるＵＥに送信するダウンリンクデータパケットをパケットデータゲートウェイ（ＰＧＷ：ＰＤＮ  Ｇａｔｅ  Ｗａｙ）に送信し、ＰＧＷによってサービングゲートウェイ（ＳＧＷ：Ｓｅｒｖｉｎｇ  ＧａｔｅＷａｙ）に送信し、ＳＧＷは該ダウンリンクデータパケットをキャッシュし、ＳＧＷはダウンリンクデータ通知メッセージをモビリティ管理エンティティ（ＭＭＥ：Ｍｏｂｉｌｉｔｙ  Ｍａｎａｇｅｍｅｎｔ  Ｅｎｔｉｔｙ）に送信する。この時、ＳＧＷが該ＵＥの別のダウンリンクデータパケットを受信した場合、ＳＧＷはこれらのデータパケットをキャッシュするが、新しいダウンリンクデータ通知メッセージを送信しない。ＭＭＥはページング（Ｐａｇｉｎｇ）メッセージをすべてのＵＥの登録したトラッキングエリアの基地局（ｅＮｏｄｅＢ）に送信する。ｅＮｏｄｅＢはＵＥへページングを開始する。ＵＥはサービスリクエストプロセスをトリガし、ネットワーク側との接続を確立する。これまで、ＳＧＷと基地局の間のＳ１−Ｕダウンリンクデータチャネルが確立される。
【０００６】
上記プロセスにおいてＳＧＷ、ＭＭＥと基地局がネゴシエートしてデータチャネルを確立する必要があり、ダウンリンク間隔が頻繁に到着する場合、データチャネルを頻繁にネゴシエートする必要があり、また、ＳＧＷと基地局の間のデータチャネルの確立が完了するまでＳＧＷがダウンリンクデータのキャッシュ能力を保つ必要がある。明らかに、この方式によりネットワーク側のシグナリング負荷及びデータ処理負荷が増大する。
【０００７】
ネットワーク側のシグナリング負荷及びデータ処理負荷を軽減させるために、移動の必要性が低い端末、特にいくつかの移動の必要性のない端末（例えば電子レポートユーザ）に対して、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）ではナローバンドモノのインターネット（ＮＢ−ＩＯＰ：Ｎａｒｒｏｗ  Ｂａｎｄ  Ｉｎｔｅｒｎｅｔ  ｏｆ  Ｔｈｉｎｇｓ）解決策が提案される。この解決策において２つの伝送スキームが示され、図２に示すように、一つは制御プレーンスキーム（制御プレーン最適化スキームとも呼ばれる）であり、このスキームにおいて、Ｓ１−Ｕペアラを確立する必要がなく、ダウンリンクの小さなデータパケットが非アクセス層（ＮＡＳ：Ｎｏｎ−ａｃｃｅｓｓ  ｓｔｒａｔｕｍ）シグナリングと共にモビリティ管理エンティティ（ＭＭＥ：Ｍｏｂｉｌｉｔｙ  Ｍａｎａｇｅｍｅｎｔ  Ｅｎｔｉｔｙ）に伝送され、その後ＵＥに送信され、即ちダウンリンクデータパケットの伝送パスがサードパーティサーバー→ＰＧＷ→ＳＧＷ→ＭＭＥ→基地局→ＵＥであり、これに対応して、制御プレーンスキームにおけるアップリンクデータパケットの伝送パスがＵＥ→基地局→ＭＭＥ→ＳＧＷ→ＰＧＷ→サードパーティサーバーである。もう一つはユーザプレーンスキームであり、この伝送スキームはＳ１−Ｕベアラを確立する必要があり、ダウンリンクデータパケットの伝送パスがサードパーティサーバー→ＰＧＷ→ＳＧＷ→基地局→ＵＥであり、アップリンクデータパケットの伝送パスがＵＥ→基地局→ＳＧＷ→ＰＧＷ→サードパーティサーバーである。ここで、ＳＧＷ／ＰＧＷはユーザプレーンネットワーク要素に属し、ＭＭＥは制御プレーンネットワーク要素に属し、基地局はアクセスネットワーク要素に属する。上記解決策では、制御プレーンスキームは小さいデータパケットを伝送する場合に適し、ユーザプレーンスキームは大きなデータパケット、且つ伝送時間間隔が長い場合に好適である。
【発明の概要】
【発明が解決しようとする課題】
【０００８】
現在、特定の専用ネットワークの場合、ＮＢ−ＩＯＴ解決策では上記の２つの伝送スキームのうちの一つを選択し、該専用ネットワークにおいて、異なるＵＥが異なるサービス伝送ニーズを有する可能性があり、異なる時点においても同一のＵＥのサービス伝送ニーズも異なるため、従来技術において特定の専用ネットワークのための特定の伝送スキームを選択するという方式は、多様化になってくるサービスニーズをもはや満たすことができなくなる。
【０００９】
本出願の実施例は多様化しているサービスシナリオニーズを満たし、サービスデータ伝送効率を向上させるためのデータ伝送方法、装置及び記憶媒体を提供する。
【課題を解決するための手段】
【００１０】
本出願の実施例によるデータ伝送方法は、
第一の装置がユーザ装置（ＵＥ）のサービス関連情報を取得することと、
前記ＵＥのサービス関連情報に対応するデータ伝送パス情報を確定することとを含む。
【００１１】
本出願の別の実施例によるデータ伝送方法は、
指示ネットワーク要素がデータ接続確立指示情報を確定し、前記データ接続確立指示情報が前記ＵＥのための前記ＵＥのサービス関連情報に対応するデータ伝送パス情報を確定するように第一の装置に指示することに用いられることと、
前記データ接続確立指示情報を前記第一の装置に送信することとを含む。
【００１２】
本出願の別の実施例によるデータ伝送方法は、
制御プレーンの第一の機能エンティティが指示ネットワーク要素によって送信されたデータ接続確立指示情報を受信することと、
制御プレーンの第二の機能エンティティが前記ＵＥのための前記ＵＥのサービス関連情報に対応するデータ伝送パス情報を確定するように、前記制御プレーンの第一の機能エンティティが前記データ接続確立指示情報を制御プレーンの第二の機能エンティティに送信することとを含む。
【００１３】
本出願の別の実施例によるデータ伝送方法は、
第二のユーザプレーンネットワーク要素が指示ネットワーク要素からのデータ接続確立指示情報を受信することと、
前記制御プレーンネットワーク要素が前記ＵＥのサービス関連情報に対応するデータ伝送パス情報を確定するように、前記データ接続確立指示情報を制御プレーンネットワーク要素に送信すること、又は、
前記データ接続確立指示情報を制御プレーンの第一の機能エンティティに送信し、制御プレーンの第一の機能エンティティによって制御プレーンの第二の機能エンティティに送信し、前記制御プレーンの第二の機能エンティティが前記ＵＥのサービス関連情報に対応するデータ伝送パス情報を確定するようにすることとを含む。
【００１４】
本出願の別の実施例によるデータ伝送方法は、
制御プレーンの第一の機能エンティティがＵＥによって送信されたアクセスリクエストを受信することと、
制御プレーンの第二の機能エンティティが前記ＵＥのための前記ＵＥのサービス関連関係に対応するデータ伝送パス情報を確定するように、前記制御プレーンの第一の機能エンティティが前記アクセスリクエストを制御プレーンの第二の機能エンティティに送信することとを含む。
【００１５】
本出願の別の実施例によるデータ伝送方法は、
ユーザ装置（ＵＥ）がアクセスリクエストを確定し、前記アクセスリクエストにＵＥ識別情報及び／又はサービス関連情報が含まれることと、
前記第一の装置が前記ＵＥのための前記ＵＥのサービス関連情報に対応するデータ伝送パス情報を確定するように、ユーザ装置ＵＥが第一の装置へ前記アクセスリクエストを開始することとを含む。
【００１６】
本出願の別の実施例によるデータ伝送方法は、
第二の装置が登録リクエスト情報を確定し、前記登録リクエスト情報にユーザ装置（ＵＥ）識別情報及び第二の装置識別情報が含まれ、前記第二の装置が制御プレーンネットワーク要素、制御プレーンの第一の機能エンティティ又は制御プレーンの第二の機能エンティティであることと、
第一の装置が前記ＵＥ識別情報と第二の装置識別情報との対応関係を保存し、前記対応関係に基づき、前記ＵＥにデータ接続サービスを提供するための第二の装置を確定するように、前記登録リクエスト情報を第一の装置に送信することとを含む。
【００１７】
本出願の別の実施例によるデータ伝送方法は、
第一の装置が第二の装置から送信された登録リクエスト情報を受信し、前記第二の装置が制御プレーンネットワーク要素、制御プレーンの第一の機能エンティティ又は制御プレーンの第二の機能エンティティであることと、
前記ＵＥ識別情報と第二の装置識別情報との対応関係を保存することと、
前記ＵＥのためのデータ接続を確立する必要がある時に、前記対応関係に基づき、前記ＵＥにデータ接続サービスを提供するための第二の装置を確定することとを含む。
【００１８】
本出願の実施例によるデータ伝送装置は、
ユーザ装置（ＵＥ）のサービス関連情報を取得するように構成される取得モジュールと、
前記ＵＥのサービス関連情報に対応するデータ伝送パス情報を確定するように構成される確定モジュールとを備える。
【００１９】
本出願の別の実施例によるデータ伝送装置は、
データ接続確立指示情報を確定するように構成され、前記データ接続確立指示情報が前記ＵＥのための前記ＵＥのサービス関連情報に対応するデータ伝送パス情報を確定するように第一の装置に指示することに用いられる確定モジュールと、
前記データ接続確立指示情報を前記第一の装置に送信するように構成される送信モジュールとを備える。
【００２０】
本出願の別の実施例によるデータ伝送装置は、
指示ネットワーク要素によって送信されたデータ接続確立指示情報を受信するように構成される受信モジュールと、
制御プレーンの第二の機能エンティティが前記ＵＥのための前記ＵＥのサービス関連情報に対応するデータ伝送パス情報を確定するように、前記データ接続確立指示情報を制御プレーンの第二の機能エンティティに送信するように構成される送信モジュールとを備える。
【００２１】
本出願の別の実施例によるデータ伝送装置は、
指示ネットワーク要素からのデータ接続確立指示情報を受信するように構成される受信モジュールと、
前記制御プレーンネットワーク要素が前記ＵＥのサービス関連情報に対応するデータ伝送パス情報を確定するように、前記データ接続確立指示情報を制御プレーンネットワーク要素に送信するように構成され、又は、
前記制御プレーンの第二の機能エンティティが前記ＵＥのサービス関連情報に対応するデータ伝送パス情報を確定するように、前記データ接続確立指示情報を制御プレーンの第一の機能エンティティに送信し、制御プレーンの第一の機能エンティティによって制御プレーンの第二の機能エンティティに送信するように構成される送信モジュールとを備える。
【００２２】
本出願の別の実施例によるデータ伝送装置は、
ＵＥによって送信されたアクセスリクエストを受信するように構成される受信モジュールと、
制御プレーンの第二の機能エンティティが前記ＵＥのための前記ＵＥのサービス関連関係に対応するデータ伝送パス情報を確定するように、前記アクセスリクエストを制御プレーンの第二の機能エンティティに送信するように構成される送信モジュールとを備える。
【００２３】
本出願の別の実施例によるデータ伝送装置は、
アクセスリクエストを確定するように構成され、前記アクセスリクエストにＵＥ識別情報及び／又はサービス関連情報が含まれる確定モジュールと、
前記第一の装置が前記ＵＥのための前記ＵＥのサービス関連情報に対応するデータ伝送パス情報を確定するように、第一の装置へ前記アクセスリクエストを開始するように構成される送信モジュールとを備える。
【００２４】
本出願の別の実施例によるデータ伝送装置は、
登録リクエスト情報を確定するように構成され、前記登録リクエスト情報にユーザ装置（ＵＥ）識別情報及び第二の装置識別情報が含まれ、前記第二の装置が制御プレーンネットワーク要素、制御プレーンの第一の機能エンティティ又は制御プレーンの第二の機能エンティティである確定モジュールと、
第一の装置が前記ＵＥ識別情報と第二の装置識別情報との対応関係を保存し、前記対応関係に基づき、前記ＵＥにデータ接続サービスを提供するための第二の装置を確定するように、前記登録リクエスト情報を第一の装置に送信するように構成される送信モジュールとを備える。
【００２５】
本出願の別の実施例によるデータ伝送装置は、
第二の装置から送信された登録リクエスト情報を受信するように構成され、前記第二の装置が制御プレーンネットワーク要素、制御プレーンの第一の機能エンティティ又は制御プレーンの第二の機能エンティティである受信モジュールと、
前記ＵＥ識別情報と第二の装置識別情報との対応関係を保存するように構成される保存モジュールと、
前記ＵＥのためのデータ接続を確立する必要がある時に、前記対応関係に基づき、前記ＵＥにデータ接続サービスを提供するための第二の装置を確定するように構成されるデータ接続確立モジュールとを備える。
【００２６】
本出願の別の実施例によるデータ伝送装置はプロセッサとプロセッサで実行可能なコンピュータプログラムを記憶するためのメモリを備える。
【００２７】
ここで、前記プロセッサは前記コンピュータプログラムを実行する時に、上記のいずれか一項に記載の方法のステップを実行することに用いられる。
【００２８】
本出願の別の実施例による記憶媒体はコンピュータプログラムを記憶しており、ここで該コンピュータプログラムがプロセッサによって実行される場合、上記のいずれか一項に記載の方法のステップを実現する。
【００２９】
本出願の実施例ではユーザ装置（ＵＥ）のサービス関連情報を取得することにより、前記ＵＥのサービス関連情報に対応するデータ伝送パス情報を確定する。サービス伝送の実際ニーズに基づいて伝送スキームを選択するという方式は、多様化しているサービスニーズを満たし、サービスデータ伝送効率を向上させることができる。
【図面の簡単な説明】
【００３０】
【図１】従来技術におけるアイドル（Ｉｄｌｅ）状態にあるＵＥのためのデータリンクを確立するフローチャートである。
【図２】ＮＢ−ＩＯＴ解決策の概略図である。
【図３】本出願の実施例１によるデータ伝送方法のフローチャートである。
【図４】本出願の実施例２によるデータ伝送方法のフローチャートである。
【図５】本出願の実施例３によるデータ伝送方法のフローチャートである。
【図６】本出願の実施例４によるデータ伝送方法のフローチャートである。
【図７】本出願の実施例５によるデータ伝送方法のフローチャートである。
【図８】本出願の実施例６によるデータ伝送方法のフローチャートである。
【図９】本出願の実施例７によるデータ伝送方法のフローチャートである。
【図１０】本出願の実施例８によるデータ伝送方法のフローチャートである。
【図１１】本出願の実施例９によるデータ伝送装置１１０の構造図である。
【図１２】本出願の実施例１０によるデータ伝送装置１２０の構造図である。
【図１３】本出願の実施例１１によるデータ伝送装置１３０の構造図である。
【図１４】本出願の実施例１２によるデータ伝送装置１４０の構造図である。
【図１５】本出願の実施例１３によるデータ伝送装置１４０の構造図である。
【図１６】本出願の実施例１４によるデータ伝送装置１６０の構造図である。
【図１７】本出願の実施例１５によるデータ伝送装置１７０の構造図である。
【図１８】本出願の実施例１６によるデータ伝送装置１８０の構造図である。
【発明を実施するための形態】
【００３１】
本出願の実施例ではユーザ装置（ＵＥ）のサービス関連情報を取得することにより、前記ＵＥのサービス関連情報に対応するデータ伝送パス情報を確定する。サービス伝送の実際ニーズに基づいて伝送スキームを選択するという方式は、多様化しているサービスニーズを満たし、サービスデータ伝送効率を向上させることができる。
【００３２】
以下に添付図面を参照しながら本出願の実施例をさらに詳細に説明する。
【００３３】
実施例１．
図３は本出願の実施例１によるデータ伝送方法のフローチャートである。前記データ伝送方法はＳ３０１とＳ３０２を含む。
【００３４】
Ｓ３０１において、第一の装置はユーザ装置（ＵＥ）のサービス関連情報を取得する。
【００３５】
本出願の実施例における第一の装置はネットワーク側におけるパス選択機能を有する装置である。第一の装置は、
サードパーティサーバー、アプリケーションイネーブルメントプラットフォーム、ドメインネームシステム（ＤＮＳ：Ｄｏｍａｉｎ  Ｎａｍｅ  Ｓｙｓｔｅｍ）、データベース、ネットワーク側におけるパス選択機能を有する独立したネットワーク要素、制御プレーンネットワーク要素、制御プレーンの第二の機能エンティティ、第二のユーザプレーンネットワーク要素、アクセスネットワーク要素のうちのいずれかの一つであってもよく、ここで、制御プレーンに制御プレーンの第一の機能エンティティと制御プレーンの第二の機能エンティティが存在し、前記制御プレーンの第一の機能エンティティがＵＥのモビリティコンテキストを管理し、前記制御プレーンの第二の機能エンティティがＵＥのセッションコンテキストを管理する。
【００３６】
本出願の実施例のデータベースは、ホーム加入者サーバー（ＨＳＳ：Ｈｏｍｅ  Ｓｕｂｓｃｒｉｂｅｒ  Ｓｅｒｖｅｒ）、又はポリシーデータベース、又はネットワーク側におけるデータ管理機能を有する独立したネットワーク要素であってもよい。本出願の実施例では、制御プレーンネットワーク要素はモビリティ管理（ＭＭ：Ｍｏｂｉｌｉｔｙ  Ｍａｎａｇｅｍｅｎｔ）機能（ＵＥのモビリティを管理するためのものであり、ＭＭＥによりＵＥのモビリティコンテキスト情報を検索することができる）とセッション管理（ＳＭ：Ｓｅｓｓｉｏｎ  Ｍａｎａｇｅｍｅｎｔ）機能（ＵＥのユーザプレーンデータリンクを管理し、ＵＥにデータ接続を確立し、対応するリソースを割り当てるためのもの）を兼ね備えるネットワーク要素であってもよく、モビリティ管理（ＭＭ：Ｍｏｂｉｌｉｔｙ  Ｍａｎａｇｅｍｅｎｔ）機能とセッション管理（ＳＭ：Ｓｅｓｓｉｏｎ  Ｍａｎａｇｅｍｅｎｔ）機能はそれぞれ２つの独立したネットワーク要素、即ち本出願の実施例における制御プレーンの第一の機能エンティティと制御プレーンの第二の機能エンティティによって搬送されてもよい。
【００３７】
上記サービス関連情報は、
サービスストリーム記述情報、サードパーティ識別情報、サービスタイプ情報、トラフィックタイプ情報、データ長さ情報、ＵＥタイプ情報、サードパーティ装置タイプ情報、サービス伝送スキーム指示情報、ＵＥ及び／又はサードパーティサーバーの位置情報のうちの一つ又は複数を含むことができ、サービス伝送プラン指示情報は、ユーザプレーンスキーム又は制御プレーンスキームを使用してサービスデータを伝送することを示すことに用いられ、前記ユーザプレーンスキームがユーザプレーンによってアクセスネットワークとサービスデータを伝送するというスキームを指し、前記制御プレーンスキームがユーザプレーン、制御プレーンによってアクセスネットワークとサービスデータを伝送するというスキームを指すプランである。
【００３８】
上記サービスストリーム記述情報は例えばインターネットプロトコル（ＩＰ：Ｉｎｔｅｒｎｅｔ  Ｐｒｏｔｏｃｏｌ）の５要素、ユニフォームリソースロケータ（ＵＲＬ：Ｕｎｉｆｏｒｍ  Ｒｅｓｏｕｒｃｅ  Ｌｏｃａｔｏｒ）又はサービスストリーム識別子（ラベル）などである。サードパーティ識別情報はサードパーティサービス事業者識別情報（例えば淘宝網モールスポンサー（Ｓｐｏｎｓｏｒ）のＩＤ）及び／又はサードパーティサービス事業者の下のサブサービス事業者識別情報（例えば淘宝網モールにおける各サブサービス事業者（ｓｅｒｖｉｃｅ  ｐｒｏｖｉｄｅｒ）のＩＤ）を含み、サービスタイプは具体的なアプリケーションのタイプ、例えばオンラインバンキング、アリペイビジネス、ｉＱＩＹビデオ、ＹＯＵＫＵビデオなどを指すことができ、アプリケーション識別子（Ａｐｐｌｉｃａｔｉｏｎ  ＩＤ）でサービスタイプを表すことができる。トラフィックタイプは例えばビデオタイプ、オーディオタイプなどである。データ長さ情報はデータパケットの大きさを指すことができる。ＵＥタイプは例えばデジタル電力計、デジタル水道メーターなどである。サードパーティデバイスタイプは例えばビデオ内容サーバー、データ収集システムなどである。ＵＥ及び／又はサードパーティサーバーの位置情報に基づき、ＵＥのためにＵＥ及び／又はサードパーティサーバーの位置に最も近いユーザプレーンネットワーク要素を選択することができる。
【００３９】
Ｓ３０２において、第一の装置はＵＥのサービス関連情報に対応するデータ伝送パス情報を確定する。
【００４０】
ここで、データ伝送パス情報はサービス伝送スキーム情報及び／又は第一のユーザプレーンネットワーク要素情報を含むことができ、
ここで、確定されたサービス伝送スキームはユーザプレーンスキーム又は制御プレーンスキームであり、前記ユーザプレーンスキームがユーザプレーンによってアクセスネットワークとサービスデータを伝送するというスキームを指し、前記制御プレーンスキームがユーザプレーン、制御プレーンによってアクセスネットワークとサービスデータを伝送するというスキームを指す。
【００４１】
具体的な実施中、第一の装置はまずデータベースからＵＥのサブスクリプション情報又はポリシー情報を取得し、ＵＥのサブスクリプション情報又はポリシー情報に基づき、ＵＥのためのデータ接続を確立する必要があるか否か（例えばＵＥがデータ接続機能を起動しない場合、ＵＥのためのデータ接続を確立する必要がない）を判定し、又は、ＵＥによって送信された初回アタッチリクエスト内の指示に応じて、前記ＵＥのためのデータ接続を確立する必要があるか否かを確定することができる。
【００４２】
前記ＵＥのためのデータ接続を確立する必要があることを確定した後、上記の、前記ＵＥのサービス関連情報を取得し、そして前記サービス関連情報に対応するデータ伝送パス情報を確定するというステップを実行し、そうでない場合は前記ＵＥのためのデータ接続を確立しない。
【００４３】
本出願の実施例では、ＵＥのデータ伝送パスの確立は指示ネットワーク要素（好ましく、サードパーティサーバー）によって開始されてもよいし、ＵＥによって開始されてもよく、具体的に以下のいくつかの方式を有することができる。
【００４４】
方式１：指示ネットワーク要素はＵＥのデータ伝送パスの確立を開始する。
【００４５】
一つの実施形態として、第一の装置が制御プレーンネットワーク要素又は制御プレーンの第二の機能エンティティである場合、第一の装置がＵＥのサービス関連情報を取得することは、第一の装置が指示ネットワーク要素によって送信されたデータ接続確立指示情報を受信し、前記データ接続確立指示情報に基づき、前記ＵＥのサービス関連情報を取得することを含み、前記データ接続確立指示情報が前記ＵＥのための前記ＵＥのサービス関連情報に対応するデータ伝送パス情報を確定するように第一の装置に指示することに用いられる。
【００４６】
これに対応して、指示ネットワーク要素はデータ接続確立指示情報を確定し、前記データ接続確立指示情報が前記ＵＥのための前記ＵＥのサービス関連情報に対応するデータ伝送パス情報を確定するように第一の装置に指示することに用いられ、前記データ接続確立指示情報を前記第一の装置に送信する。
【００４７】
上記実施形態では、前記データ接続確立指示情報に前記ＵＥのサービス関連情報が直接含まれてもよく、又は、前記データ接続確立指示情報に前記ＵＥのサービス関連情報が含まれなくてもよく、この時に第一の装置が指示ネットワーク要素によって送信されたデータ接続確立指示情報に基づき、前記ＵＥのサービス関連情報を取得することは、
第一の装置が前記データ接続確立指示情報におけるＵＥ識別情報に基づき、ローカル、データベース、ポリシーサーバー、ドメインネームシステム（ＤＮＳ）サーバー、サードパーティサーバー、アプリケーションイネーブルメントプラットフォーム又はネットワーク側の独立したネットワーク要素において、前記ＵＥのサービス関連情報をクエリすることを含む。
【００４８】
上記実施形態では、前記指示ネットワーク要素は、
サードパーティサーバー、アプリケーションイネーブルメントプラットフォーム、ドメインネームシステム（ＤＮＳ）サーバー、データベース、ネットワーク側におけるパス選択機能を有する独立したネットワーク要素のいずれかの一つである。
【００４９】
データ接続確立のトリガ方式についての説明は下記の通りである。
【００５０】
トリガ方式１において、指示ネットワーク要素がサードパーティサーバーであることを例とし、サードパーティサーバーは制御プレーンによりＵＥのデータ接続の確立をトリガすることができる。
【００５１】
状況１において、前記第一の装置は前記制御プレーンネットワーク要素である。
【００５２】
具体的には、前記制御プレーンネットワーク要素がサードパーティサーバーによって送信されたデータ接続確立指示情報を受信することは、制御プレーンネットワーク要素が前記サードパーティサーバーから前記アプリケーションイネーブルメントプラットフォームを介して送信された前記データ接続確立指示情報を受信することであってもよい。即ち、サードパーティサーバーは前記データ接続確立指示情報をアプリケーションイネーブルメントプラットフォームを介して制御プレーンネットワーク要素に送信し、この時にデータ接続確立指示情報の伝送パスがサードパーティサーバー→アプリケーションイネーブルメントプラットフォーム→制御プレーンネットワーク要素である。
【００５３】
状況２において、前記第一の装置は制御プレーンの第二の機能エンティティである。
【００５４】
具体的には、前記制御プレーンの第二の機能エンティティが指示ネットワーク要素によって送信されたデータ接続確立指示情報を受信することは、
制御プレーンの第二の機能エンティティが前記制御プレーンの第一の機能エンティティから送信された、前記指示ネットワーク要素からのデータ接続確立指示情報を受信することであってもよく、ここで前記指示ネットワーク要素からのデータ接続確立指示情報に前記ＵＥのサービス関連情報が含まれ又は含まれなく、又は、
制御プレーンの第二の機能エンティティが前記制御プレーンの第一の機能エンティティから送信された、前記指示ネットワーク要素からのデータ接続確立指示情報及び前記制御プレーンの第一の機能エンティティによってクエリして得られた前記ＵＥのサービス関連情報を受信することであってもよく、ここで前記指示ネットワーク要素からのデータ接続確立指示情報に前記ＵＥのサービス関連情報が含まれない。
【００５５】
具体的な実施中、制御プレーンの第二の機能エンティティが前記ＵＥのための前記ＵＥのサービス関連情報に対応するデータ伝送パス情報を確定するように、制御プレーンの第一の機能エンティティは指示ネットワーク要素によって送信されたデータ接続確立指示情報を受信した後、前記データ接続確立指示情報を制御プレーンの第二の機能エンティティを送信することができる。又は、制御プレーンの第一の機能エンティティは指示ネットワーク要素によって送信されたデータ接続確立指示情報を受信した後、前記データ接続確立指示情報におけるユーザ装置ＵＥ識別情報に基づいて前記ＵＥのサービス関連情報をクエリし、前記データ接続確立指示情報及び前記ＵＥのサービス関連情報を制御プレーンの第二の機能エンティティに送信することができる。
【００５６】
上記のプロセスにおいて、前記指示ネットワーク要素がサードパーティサーバーである場合、前記制御プレーンの第一の機能エンティティが指示ネットワーク要素によって送信されたデータ接続確立指示情報を受信することは、前記制御プレーンの第一の機能エンティティが前記サードパーティサーバーから前記アプリケーションイネーブルメントプラットフォームを介して送信された前記データ接続確立指示情報を受信することを含む。
【００５７】
即ち、前記第一の装置が前記制御プレーンの第二の機能エンティティであり、サードパーティサーバーが制御プレーンによりＵＥのデータ接続の確立をトリガする場合、データ接続確立指示情報の伝送パスはサードパーティサーバー→アプリケーションイネーブルメントプラットフォーム→制御プレーンの第一の機能エンティティ→制御プレーンの第二の機能エンティティである。
【００５８】
トリガ方式２において、指示ネットワーク要素がサードパーティサーバーであることを例とし、サードパーティサーバーはユーザプレーンによりＵＥのデータ接続の確立をトリガすることができる。
【００５９】
状況１において、第一の装置は前記制御プレーンネットワーク要素である。
【００６０】
具体的には、第一の装置が指示ネットワーク要素によって送信されたデータ接続確立指示情報を受信することは、
前記制御プレーンネットワーク要素が第二のユーザプレーンネットワーク要素から送信された、前記指示ネットワーク要素からのデータ接続確立指示情報を受信することを含み、ここで前記指示ネットワーク要素がユーザプレーンリンク又は制御プレーンリンクを介して前記データ接続確立指示情報を前記第二のユーザプレーンネットワーク要素に送信し、前記指示ネットワーク要素からのデータ接続確立指示情報に前記ＵＥのサービス関連情報が含まれ又は含まれなく、又は、
前記制御プレーンネットワーク要素が前記第二のユーザプレーンネットワーク要素から送信された、前記指示ネットワーク要素からのデータ接続確立指示情報及び前記第二のユーザプレーンネットワーク要素によってクエリして得られた前記ＵＥのサービス関連情報を受信することを含み、ここで前記指示ネットワーク要素がユーザプレーンリンク又は制御プレーンリンクを介して前記データ接続確立指示情報を前記第二のユーザプレーンネットワーク要素に送信し、前記指示ネットワーク要素からのデータ接続確立指示情報に前記ＵＥのサービス関連情報が含まれない。
【００６１】
即ち、前記第一の装置が前記制御プレーンであり、サードパーティサーバーが制御プレーンによりＵＥのデータ接続の確立をトリガする場合、データ接続確立指示情報の伝送パスはサードパーティサーバー→アプリケーションイネーブルメントプラットフォーム→第二のユーザプレーンネットワーク要素→制御プレーンネットワーク要素である。ここでの第二のユーザプレーンネットワーク要素は最終的に確定されたデータ伝送パスにおける第一のユーザプレーンネットワーク要素と同じであっても異なってもよい。
【００６２】
状況２において、第一の装置は制御プレーンの第二の機能エンティティである。
【００６３】
具体的には、制御プレーンの第一の機能エンティティは第二のユーザプレーンネットワーク要素から送信された、前記指示ネットワーク要素からのデータ接続確立指示情報を受信する。その後、制御プレーンの第二の機能エンティティが前記ＵＥのための前記ＵＥのサービス関連情報に対応するデータ伝送パス情報を確定するように、制御プレーンの第一の機能エンティティは該データ接続確立指示情報を制御プレーンの第二の機能エンティティに送信することができる。又は、指示ネットワーク要素のデータ接続確立指示情報にＵＥのサービス関連情報が含まれない時に、制御プレーンの第一の機能エンティティはデータ接続確立指示情報におけるユーザ装置（ＵＥ）識別情報に基づいてＵＥのサービス関連情報をクエリし、前記データ接続確立指示情報及び前記ＵＥのサービス関連情報を制御プレーンの第二の機能エンティティに送信することができる。
【００６４】
上記状況において、サードパーティサーバーがユーザプレーンによりＵＥのデータ接続の確立をトリガする場合、データ接続確立指示情報の伝送パスはサードパーティサーバー→アプリケーションイネーブルメントプラットフォーム→第二のユーザプレーンネットワーク要素→制御プレーンの第一の機能エンティティ→制御プレーンの第二の機能エンティティである。
【００６５】
上述したように、本出願の実施例では、制御プレーンネットワーク要素又は制御プレーンの第一の機能エンティティは直接アプリケーションイネーブルメントプラットフォームを介してサードパーティサーバーからのデータ接続確立指示情報を受信することができ（制御プレーンによりトリガする）、第二のユーザプレーンネットワーク要素から送信された、サードパーティサーバーからのデータ接続確立指示情報を受信することもできる（ユーザプレーンによりトリガする）。
【００６６】
方式２において、ＵＥはデータ伝送パスの確立を開始する。
【００６７】
具体的には、第一の装置がユーザ装置（ＵＥ）のサービス関連情報を取得することは、第一の装置がユーザ装置（ＵＥ）によって送信されたアクセスリクエストを受信し、前記アクセスリクエストに基づき、前記ＵＥのサービス関連情報を取得することを含む。前記アクセスリクエストは初回アタッチリクエスト又はサービスリクエストである。
【００６８】
ここで、前記アクセスリクエストに前記ＵＥのサービス関連情報が含まれてもよく、又は、
前記アクセスリクエストに前記ＵＥのサービス関連情報が含まれなくてもよく、前記アクセスリクエストに基づき、前記ＵＥのサービス関連情報を取得することは、前記第一の装置が前記アクセスリクエストにおけるＵＥ識別情報に基づき、ローカル、データベース、ポリシーサーバー、ドメインネームシステム（ＤＮＳ）サーバー、サードパーティサーバー、アプリケーションイネーブルメントプラットフォーム又はネットワーク側の独立したネットワーク要素において、前記ＵＥのサービス関連情報をクエリすることを含む。
【００６９】
上記実施形態では、前記第一の装置が前記制御プレーンの第二の機能エンティティである場合、前記制御プレーンの第二の機能エンティティが前記アクセスリクエストを受信することは、前記制御プレーンの第二の機能エンティティが前記制御プレーンの第一の機能エンティティから送信された前記アクセスリクエストを受信することを含み、ここで前記アクセスリクエストに前記ＵＥのサービス関連情報が含まれ又は含まれなく、ここで、制御プレーンの第一の機能エンティティはＵＥによって送信されたアクセスリクエストを受信し、制御プレーンの第二の機能エンティティに送信する。
【００７０】
又は、前記制御プレーンの第二の機能エンティティが前記制御プレーンの第一の機能エンティティから送信された前記アクセスリクエスト及び前記制御プレーンの第一の機能エンティティによってクエリして得られた前記ＵＥのサービス関連情報を受信することを含み、ここで、前記アクセスリクエストに前記ＵＥのサービス関連情報が含まれない。ここで、制御プレーンの第一の機能エンティティは受信されたアクセスリクエストにおけるＵＥ識別情報に基づいてＵＥのサービス関連情報をクエリし、前記アクセスリクエスト及び前記ＵＥのサービス関連情報を制御プレーンの第二の機能エンティティに送信する。
【００７１】
上記の方式１及び方式２において上記の内容が適用される。
【００７２】
具体的な実施中、前記第一の装置が前記制御プレーンネットワーク要素又は制御プレーンの第二の機能エンティティである場合、前記第一の装置が前記ＵＥのサービス関連関係に対応するデータ伝送パス情報を確定することは、ローカル、データベース、ポリシーサーバー、ドメインネームシステム（ＤＮＳ）サーバー、サードパーティサーバー、アプリケーションイネーブルメントプラットフォーム又はネットワーク側のパス選択機能を有する独立したネットワーク要素において、前記ＵＥのサービス関連情報に対応するデータ伝送パス情報をクエリすることを含む。
【００７３】
一つの実施形態Ａとして、確定されたサービス伝送スキームはユーザプレーンスキームである。
【００７４】
前記第一の装置が前記制御プレーンネットワーク要素又は制御プレーンの第二の機能エンティティである場合、前記第一の装置が前記ＵＥのサービス関連情報に対応するデータ伝送パス情報を確定するというＳ３０２の後、さらに前記第一の装置が確定されたデータ伝送パスにおける第一のユーザプレーンネットワーク要素、前記ＵＥにアタッチされたアクセスネットワーク要素、及び前記ＵＥへリソース割り当て指示情報を送信することを含み、前記リソース割り当て指示情報がユーザプレーンスキームを使用することを示し、そしてサービスデータ伝送リソースを割り当てるように前記第一のユーザプレーンネットワーク要素、アクセスネットワーク要素、及び前記ＵＥに指示することに用いられる。
【００７５】
これに対応して、指示ネットワーク要素から送信されたデータ接続削除情報を受信する場合、前記データ接続削除指示情報に基づき、前記ＵＥに割り当てられたサービスデータ伝送リソースを解放するように前記ＵＥにアクセスされる第一のユーザプレーンネットワーク要素及びアクセスネットワーク要素に指示する。
【００７６】
別の実施形態Ｂとして、確定されたサービス伝送スキームは制御プレーンスキームである。
【００７７】
前記第一の装置が前記制御プレーンネットワーク要素又は制御プレーンの第二の機能エンティティである場合、前記第一の装置が前記ＵＥのサービス関連情報に対応するデータ伝送パス情報を確定した後、さらに前記第一の装置が確定されたデータ伝送パスにおける第一のユーザプレーンネットワーク要素へリソース割り当て指示情報を送信し、前記リソース割り当て指示情報が制御プレーンスキームを使用して前記ＵＥのためにサービスデータを伝送することを示し、そしてサービスデータ伝送リソースを割り当てるように前記第一のユーザプレーンネットワーク要素に指示することに用いられることを含む。
【００７８】
これに対応して、指示ネットワーク要素から送信されたデータ接続削除指示情報を受信した後、前記データ接続削除指示情報に基づき、前記ＵＥに割り当てられたサービスデータ伝送リソースを解放するように前記ＵＥにアクセスされる第一のユーザプレーンネットワーク要素に指示する。
【００７９】
上記実施形態Ａ及びＢでは、前記リソース割り当て指示情報はさらにサービスストリーム記述情報を含み、サービスストリーム記述情報と割り当てられたサービスデータ伝送リソースとのマッピング関係を保存するように指示することに用いられ、これにより送信待ちサービスデータを受信する時に、送信待ちサービスデータに含まれるサービスストリーム記述情報に基づいてそれに対応するサービスデータ伝送リソースを確定する。
【００８０】
上記実施形態Ａ及びＢでは、前記リソース割り当て指示情報はさらにサービス品質（ＱｏＳ：Ｑｕａｌｉｔｙ  ｏｆ  Ｓｅｒｖｉｃｅ）ポリシーを含み、ＱｏＳポリシーを満たすサービスデータ伝送リソースを割り当てるように指示することに用いられる。
【００８１】
具体的には、前記第第一の装置は以下のステップに基づいて前記ＱｏＳポリシーを取得する。
【００８２】
前記第一の装置は取得された前記サービス関連情報に基づき、ローカル、データベース、ポリシーサーバー、ドメインネームシステム（ＤＮＳ）サーバー、サードパーティサーバー、アプリケーションイネーブルメントプラットフォーム又はネットワーク側におけるパス選択機能を有するネットワーク要素において前記サービス関連情報に対応するＱｏＳポリシーをクエリする。
【００８３】
実施例１では、前記第一の装置が制御プレーンネットワーク要素又は制御プレーンの第二の機能エンティティではなく、サードパーティサーバー、アプリケーションイネーブルメントプラットフォーム、ドメインネームシステム（ＤＮＳ）サーバー、データベース、又はネットワーク側における独立したネットワーク要素である場合、前記第一の装置が前記ＵＥのサービス関連情報に対応するデータ伝送パス情報を確定した後、さらに確定されたデータ伝送パス情報を前記ＵＥにアクセスされる制御プレーンネットワーク要素又は制御プレーンの第二の機能エンティティに送信することを含む。この時、該データ伝送パス情報にサービス伝送スキーム情報のみが含まれてもよく、第一のユーザプレーンネットワーク要素が含まれなく、制御ネットワーク要素又は制御プレーンの第二の機能エンティティによって該サービス伝送スキームに基づいて第一のユーザプレーンネットワーク要素情報を選択する。
【００８４】
さらに、前記第一の装置がサードパーティサーバーである場合、前記サードパーティサーバーが確定されたデータ伝送パス情報を前記ＵＥにアクセスされる制御プレーンネットワーク要素又は制御プレーンの第二の機能エンティティに送信することは、前記サードパーティサーバーがアプリケーションイネーブルメントプラットフォームを介して確定されたデータ伝送パス情報を前記ＵＥにアクセスされる制御プレーンネットワーク要素又は制御プレーンの第二の機能エンティティに送信することを含む。
【００８５】
以下にいくつかの具体的な例で本出願の考えをさらに説明する。
【００８６】
実施例２（サードパーティは制御プレーンにより、ユーザプレーンスキームを使用してＵＥのサービスデータを伝送することをトリガして確定する）．
図４は本出願の実施例２によるデータ伝送方法のフローチャートである。前記データ伝送方法はＳ４０１〜Ｓ４０５を含む。
【００８７】
Ｓ４０１において、サードパーティサーバーはアプリケーションイネーブルメントプラットフォームを介して制御プレーンの第一の機能エンティティへＵＥのサービス関連情報を含む（サービスストリーム記述情報を含む）データ接続確立指示情報を送信する。
【００８８】
Ｓ４０２において、制御プレーンの第一の機能エンティティはデータ接続確立指示情報を制御プレーンの第二の機能エンティティに伝送する。
【００８９】
Ｓ４０３において、制御プレーンの第二の機能エンティティはＵＥのサービス関連情報に基づき、ユーザプレーンスキームを使用することを確定し、そしてＵＥにアクセスされる第一のユーザプレーンネットワーク要素情報、前記サービス関連情報に対応するＱｏＳポリシーを確定する。
【００９０】
ここで、制御プレーンの第二の機能エンティティはＵＥのサービス関連情報に基づき、ローカル、データベース、ポリシーサーバー、ドメインネームシステム（ＤＮＳ）サーバー、サードパーティサーバー、アプリケーションイネーブルメントプラットフォーム又はネットワーク側におけるパス選択機能を有する独立したネットワーク要素において、前記ＵＥのサービス関連情報に対応するユーザプレーンスキーム及び第一のユーザプレーンネットワーク要素情報をクエリする。
【００９１】
また、制御プレーンの第二の機能エンティティは取得された前記サービス関連情報に基づき、ローカル、データベース、ポリシーサーバー、ドメインネームシステム（ＤＮＳ）サーバー、サードパーティサーバー、アプリケーションイネーブルメントプラットフォーム又はネットワーク側におけるパス選択機能を有する独立したネットワーク要素において、前記サービス関連情報に対応するＱｏＳポリシーをクエリする。
【００９２】
Ｓ４０４において、制御プレーンの第二の機能エンティティは確定されたデータ伝送パスにおける第一のユーザプレーンネットワーク要素、ＵＥにアタッチされたアクセスネットワーク要素（基地局）、及び前記ＵＥへリソース割り当て指示情報を送信し、前記リソース割り当て指示情報がユーザプレーンスキームを使用することを示し、そして確定された前記ＱｏＳポリシーに準拠したサービスデータ伝送リソースを割り当てるように前記第一のユーザプレーンネットワーク要素、アクセスネットワーク要素、及び前記ＵＥに指示することに用いられる。
【００９３】
Ｓ４０５において、制御プレーンの第二の機能エンティティ（制御プレーンの第一の機能エンティティにより）は前記ＵＥのデータ伝送パス情報をサードパーティサーバーに通知する。
【００９４】
ここで、前記リソース割り当て指示情報にサービスストリーム記述情報、サービス品質ＱｏＳポリシーが含まれる。
【００９５】
ここで、前記ＵＥ、前記ＵＥにアタッチされたアクセスネットワーク要素、及び前記第一のユーザプレーンネットワーク要素は前記サービスストリーム記述情報と割り当てられたサービスデータ伝送リソースとのマッピング関係を保存し、これにより送信待ちサービスデータを受信する時に、送信待ちサービスデータに含まれるサービスストリーム記述情報に基づいてそれに対応するサービスデータ伝送リソースを確定する。
【００９６】
次に、ダウンリンクサービスストリームはユーザプレーンを介してアクセスネットワークに送信される。
【００９７】
選択可能に、サードパーティサーバーはデータ接続削除指示情報を送信し、制御プレーンの第二の機能エンティティは前記データ接続削除指示情報に基づき、前記ＵＥに割り当てられたサービスデータ伝送リソースを解放するように前記ＵＥにアクセスされる第一のユーザプレーンネットワーク要素及びアクセスネットワーク要素に指示する。
【００９８】
実施例３（サードパーティはユーザプレーンにより、ユーザプレーンスキームを使用してＵＥのサービスデータを伝送することをトリガして確定する）．
図５は本出願の実施例３によるデータ伝送方法のフローチャートである。前記データ伝送方法はＳ５０１〜Ｓ５０６を含む。
【００９９】
Ｓ５０１において、サードパーティサーバーはアプリケーションイネーブルメントプラットフォームを介して第二のユーザプレーンネットワーク要素へＵＥのサービス関連情報を含む（サービスストリーム記述情報を含む）データ接続確立指示情報を送信する。
【０１００】
Ｓ５０２において、第二のユーザプレーンネットワーク要素はデータ接続確立指示情報を制御プレーンの第一の機能エンティティに送信する。
【０１０１】
Ｓ５０３において、制御プレーンの第一の機能エンティティはデータ接続確立指示情報を制御プレーンの第二の機能エンティティに伝送する。
【０１０２】
Ｓ５０４において、制御プレーンの第二の機能エンティティはＵＥのサービス関連情報に基づき、ユーザプレーンスキームを使用することを確定し、そしてＵＥにアクセスされる第一のユーザプレーンネットワーク要素情報、前記サービス関連情報に対応するＱｏＳポリシーを確定する。
【０１０３】
ここで、制御プレーンの第二の機能エンティティはＵＥのサービス関連情報に基づき、ローカル、データベース、ポリシーサーバー、ドメインネームシステム（ＤＮＳ）サーバー、サードパーティサーバー、アプリケーションイネーブルメントプラットフォーム又はネットワーク側におけるパス選択機能を有する独立したネットワーク要素において、前記ＵＥのサービス関連情報に対応するユーザプレーンスキーム及び第一のユーザプレーンネットワーク要素情報をクエリする。
【０１０４】
また、制御プレーンの第二の機能エンティティは取得された前記サービス関連情報に基づき、ローカル、データベース、ポリシーサーバー、ドメインネームシステム（ＤＮＳ）サーバー、サードパーティサーバー、アプリケーションイネーブルメントプラットフォーム又はネットワーク側におけるパス選択機能を有する独立したネットワーク要素において、前記サービス関連情報に対応するＱｏＳポリシーをクエリする。
【０１０５】
Ｓ５０５において、制御プレーンの第二の機能エンティティは確定されたデータ伝送パスにおける第一のユーザプレーンネットワーク要素、ＵＥにアタッチされたアクセスネットワーク要素（基地局）、及び前記ＵＥへリソース割り当て指示情報を送信し、前記リソース割り当て指示情報がユーザプレーンスキームを使用することを示し、そして確定された前記ＱｏＳポリシーに準拠したサービスデータ伝送リソースを割り当てるように前記第一のユーザプレーンネットワーク要素、アクセスネットワーク要素、及び前記ＵＥに指示することに用いられる。
【０１０６】
Ｓ５０６において、制御プレーンの第二の機能エンティティ（制御プレーンの第一の機能エンティティにより）は前記ＵＥのデータ伝送パス情報をサードパーティサーバーに通知する。
【０１０７】
ここで、前記リソース割り当て指示情報にサービスストリーム記述情報、サービス品質ＱｏＳポリシーが含まれる。ここで、前記ユーザ装置（ＵＥ）、前記ＵＥにアタッチされたアクセスネットワーク要素、及び前記第一のユーザプレーンネットワーク要素は前記サービスストリーム記述情報と割り当てられたサービスデータ伝送リソースとのマッピング関係を保存し、これにより、送信待ちサービスデータを受信する時に、送信待ちサービスデータに含まれるサービスストリーム記述情報に基づいてそれに対応するサービスデータ伝送リソースを確定する。
【０１０８】
次に、ダウンリンクサービスストリームはユーザプレーンを介してアクセスネットワークに送信される。
【０１０９】
選択可能に、サードパーティサーバーはデータ接続削除指示情報を送信し、制御プレーンの第二の機能エンティティは前記データ接続削除指示情報に基づき、前記ＵＥに割り当てられたサービスデータ伝送リソースを解放するように前記ＵＥにアクセスされる第一のユーザプレーンネットワーク要素及びアクセスネットワーク要素に指示する。
【０１１０】
実施例４（サードパーティは制御プレーンにより、制御プレーンスキームを使用してＵＥのサービスデータを伝送することをトリガして確定する）．
図６は本出願の実施例４によるデータ伝送方法のフローチャートである。前記データ伝送方法はＳ６０１〜Ｓ６０５を含む。
【０１１１】
Ｓ６０１において、サードパーティサーバーはアプリケーションイネーブルメントプラットフォームを介して制御プレーンの第一の機能エンティティへＵＥのサービス関連情報を含む（サービスストリーム記述情報を含む）データ接続確立指示情報を送信する。
【０１１２】
Ｓ６０２において、制御プレーンの第一の機能エンティティはデータ接続確立指示情報を制御プレーンの第二の機能エンティティに伝送する。
【０１１３】
Ｓ６０３において、制御プレーンの第二の機能エンティティはＵＥのサービス関連情報に基づき、制御プレーンスキームを使用することを確定し、そしてＵＥにアクセスされる第一のユーザプレーンネットワーク要素情報、前記サービス関連情報に対応するＱｏＳポリシーを確定する。
【０１１４】
ここで、制御プレーンの第二の機能エンティティはＵＥのサービス関連情報に基づき、ローカル、データベース、ポリシーサーバー、ドメインネームシステム（ＤＮＳ）サーバー、サードパーティサーバー、アプリケーションイネーブルメントプラットフォーム又はネットワーク側におけるパス選択機能を有する独立したネットワーク要素において、前記ＵＥのサービス関連情報に対応する制御プレーンスキーム及び第一のユーザプレーンネットワーク要素情報をクエリする。
【０１１５】
また、制御プレーンの第二の機能エンティティは取得された前記サービス関連情報に基づき、ローカル、データベース、ポリシーサーバー、ドメインネームシステム（ＤＮＳ）サーバー、サードパーティサーバー、アプリケーションイネーブルメントプラットフォーム又はネットワーク側におけるパス選択機能を有する独立したネットワーク要素において、前記サービス関連情報に対応するＱｏＳポリシーをクエリする。
【０１１６】
Ｓ６０４において、制御プレーンの第二の機能エンティティは確定されたデータ伝送パスにおける第一のユーザプレーンネットワーク要素へリソース割り当て指示情報を送信し、前記リソース割り当て指示情報が制御プレーンスキームを使用することを示し、そして確定された前記ＱｏＳポリシーに準拠したサービスデータ伝送リソースを割り当てるように前記第一のユーザプレーンネットワーク要素に指示することに用いられる。
【０１１７】
Ｓ６０５において、制御プレーンの第二の機能エンティティ（制御プレーンの第一の機能エンティティにより）は前記ＵＥのデータ伝送パス情報をサードパーティサーバーに通知する。
【０１１８】
ここで、前記リソース割り当て指示情報にサービスストリーム記述情報、サービス品質ＱｏＳポリシーが含まれる。ここで、前記第一のユーザプレーンネットワーク要素は、前記サービスストリーム記述情報と割り当てられたサービスデータ伝送リソースとのマッピング関係を保存し、これにょり、送信待ちサービスデータを受信する時に、送信待ちサービスデータに含まれるサービスストリーム記述情報に基づいてそれに対応するサービスデータ伝送リソースを確定する。
【０１１９】
次に、ダウンリンクサービスストリームはユーザプレーンを介して制御プレーンに送信される。
【０１２０】
選択可能に、サードパーティサーバーはデータ接続削除指示情報を送信し、制御プレーンの第二の機能エンティティは前記データ接続削除指示情報に基づき、前記ＵＥに割り当てられたサービスデータ伝送リソースを解放するように前記ＵＥにアクセスされる第一のユーザプレーンネットワーク要素に指示する。
【０１２１】
実施例５（サードパーティはユーザプレーンにより、制御プレーンスキームを使用してＵＥのサービスデータを伝送することをトリガして確定する）．
図７は本出願の実施例５によるデータ伝送方法のフローチャートである。前記データ伝送方法はＳ７０１〜Ｓ７０６を含む。
【０１２２】
Ｓ７０１において、サードパーティサーバーはアプリケーションイネーブルメントプラットフォームを介して第二のユーザプレーンネットワーク要素へＵＥのサービス関連情報を含む（サービスストリーム記述情報を含む）データ接続確立指示情報を送信する。
【０１２３】
Ｓ７０２において、第二のユーザプレーンネットワーク要素はデータ接続確立指示情報を制御プレーンの第一の機能エンティティに送信する。
【０１２４】
Ｓ７０３において、制御プレーンの第一の機能エンティティはデータ接続確立指示情報を制御プレーンの第二の機能エンティティに伝送する。
【０１２５】
Ｓ７０４において、制御プレーンの第二の機能エンティティはＵＥのサービス関連情報に基づき、制御プレーンスキームを使用することを確定し、そしてＵＥにアクセスされる第一のユーザプレーンネットワーク要素情報、前記サービス関連情報に対応するＱｏＳポリシーを確定する。
【０１２６】
ここで、制御プレーンの第二の機能エンティティはＵＥのサービス関連情報に基づき、ローカル、データベース、ポリシーサーバー、ドメインネームシステム（ＤＮＳ）サーバー、サードパーティサーバー、アプリケーションイネーブルメントプラットフォーム又はネットワーク側におけるパス選択機能を有する独立したネットワーク要素において、前記ＵＥのサービス関連情報に対応する制御プレーンスキーム及び第一のユーザプレーンネットワーク要素情報をクエリする。
【０１２７】
また、制御プレーンの第二の機能エンティティは取得された前記サービス関連情報に基づき、ローカル、データベース、ポリシーサーバー、ドメインネームシステム（ＤＮＳ）サーバー、サードパーティサーバー、アプリケーションイネーブルメントプラットフォーム又はネットワーク側におけるパス選択機能を有する独立したネットワーク要素において、前記サービス関連情報に対応するＱｏＳポリシーをクエリする。
【０１２８】
Ｓ７０５において、制御プレーンの第二の機能エンティティは確定されたデータ伝送パスにおける第一のユーザプレーンネットワーク要素へリソース割り当て指示情報を送信し、前記リソース割り当て指示情報が制御プレーンスキームを使用することを示し、そして確定された前記ＱｏＳポリシーに準拠したサービスデータ送信リソースを割り当てるように前記第一のユーザプレーンネットワーク要素に指示することに用いられる。
【０１２９】
Ｓ７０６において、制御プレーンの第二の機能エンティティ（制御プレーンの第一の機能エンティティにより）は前記ＵＥのデータ伝送パス情報をサードパーティサーバーに通知する。
【０１３０】
ここで、前記リソース割り当て指示情報にサービスストリーム記述情報、サービス品質ＱｏＳポリシーが含まれる。ここで、第一のユーザプレーンネットワーク要素は、前記サービスストリーム記述情報と割り当てられたサービスデータ伝送リソースとのマッピング関係を保存し、これにより送信待ちサービスデータを受信する時に、送信待ちサービスデータに含まれるサービスストリーム記述情報に基づいてそれに対応するサービスデータ伝送リソースを確定する。
【０１３１】
次に、ダウンリンクサービスストリームはユーザプレーンを介して制御プレーンに送信される。
【０１３２】
図７に示されるデータ伝送方法はさらにサードパーティサーバーがデータ接続削除指示情報を送信し、制御プレーンの第二の機能エンティティが前記データ接続削除指示情報に基づき、前記ＵＥに割り当てられたサービスデータ伝送リソースを解放するように前記ＵＥにアクセスされる第一のユーザプレーンネットワーク要素に指示することを含むことができる。
【０１３３】
実施例６（ＵＥから開始し、サービス関連情報が含まれない）．
図８は本出願の実施例６によるデータ伝送方法のフローチャートである。前記データ伝送方法はＳ８０１〜Ｓ８０３を含む。
【０１３４】
Ｓ８０１において、ＵＥは制御プレーンの第一の機能エンティティへ前記ＵＥのサービス関連情報を含むアクセスリクエストを開始する。
【０１３５】
Ｓ８０２において、制御プレーンの第一の機能エンティティは前記アクセスリクエストを制御プレーンの第二の機能エンティティに送信する。
【０１３６】
Ｓ８０３において、制御プレーンの第二の機能エンティティは前記アクセスリクエストにおけるＵＥのサービス関連情報に基づき、制御プレーンスキーム又はユーザプレーンスキームを使用することを確定し、そしてＵＥにアクセスされる第一のユーザプレーンネットワーク要素情報と前記サービス関連情報に対応するＱｏＳポリシーを確定する。
【０１３７】
後のプロセスについて実施例２〜実施例５の説明を詳細に参照する。
【０１３８】
実施例７（ＵＥから開始し、サービス関連情報が含まれない）．
図９は本出願の実施例７によるデータ伝送方法のフローチャートである。前記データ伝送方法はＳ９０１〜Ｓ９０４を含む。
【０１３９】
Ｓ９０１において、ＵＥは制御プレーンの第一の機能エンティティへ前記ＵＥのサービス関連情報が含まれないアクセスリクエストを開始する。
【０１４０】
Ｓ９０２において、制御プレーンの第一の機能エンティティはアクセスリクエストにおけるＵＥ識別情報に基づき、データベースにおいて該ＵＥのサービス関連情報をクエリする。
【０１４１】
Ｓ９０３において、制御プレーンの第一の機能エンティティはＵＥのアクセスリクエスト及びサービス関連情報を制御プレーンの第二の機能エンティティに送信する。
【０１４２】
Ｓ９０４において、制御プレーンの第二の機能エンティティはＵＥのサービス関連情報に基づき、制御プレーンスキーム又はユーザプレーンスキームを使用することを確定し、そしてＵＥにアクセスされる第一のユーザプレーンネットワーク要素情報、前記サービス関連情報に対応するＱｏＳポリシーを確定する。
【０１４３】
後のプロセスについて実施例２〜実施例５の説明を詳細に参照する。
【０１４４】
実施例８（ＵＥから開始し、サービス関連情報が含まれる）．
図１０は本出願の実施例８によるデータ伝送方法のフローチャートである。前記データ伝送方法はＳ１００１〜Ｓ１００５を含む。
【０１４５】
Ｓ１００１において、第二の装置は登録リクエスト情報を確定し、前記登録リクエスト情報がユーザ装置（ＵＥ）識別情報及び第二の装置識別情報を含み、前記ＵＥにデータ接続サービスを提供することをリクエストすることに用いられ、前記第二の装置が制御プレーンネットワーク要素、制御プレーンの第一の機能エンティティ又は制御プレーンの第二の機能エンティティである。
【０１４６】
Ｓ１００２において、第二の装置は前記登録リクエスト情報を第一の装置（例えばデータベース）に送信する。
【０１４７】
Ｓ１００３において、第一の装置は第二の装置から送信された登録リクエスト情報を受信し、前記第二の装置が制御プレーンネットワーク要素、制御プレーンの第一の機能エンティティ又は制御プレーンの第二の機能エンティティであり、前記登録リクエスト情報が前記ＵＥにデータ接続サービスを提供することをリクエストすることに用いられる。
【０１４８】
Ｓ１００４において、第一の装置は前記ＵＥ識別情報と第二の装置識別情報との対応関係を保存する。
【０１４９】
Ｓ１００５において、第一の装置は前記ＵＥのためのデータ接続を確立する必要がある時に、前記対応関係に基づき、前記ＵＥにデータ接続サービスを提供するための第二の装置を確定する。
【０１５０】
具体的な実施中、第二の装置から送信された登録リクエスト情報にＵＥのサービス関連情報が含まれてもよく、この時、第二の装置は前記ＵＥ識別情報、サービス関連情報と第二の装置識別情報との対応関係を保存する。前記ＵＥのためのデータ接続を確立する必要がある時に、保存された前記対応関係に基づき、前記ＵＥにデータ接続サービスを提供するための第二の装置を確定する。
【０１５１】
又は、前記登録リクエスト情報にＵＥのサービス関連情報が含まれなく、前記ＵＥのためのデータ接続を確立する必要がある時に、保存された前記対応関係、及び取得された前記ＵＥのサービス関連情報（サードパーティサーバーから取得されたものであってもよい）に基づき、前記ＵＥにデータ接続サービスを提供するための第二の装置を確定する。
【０１５２】
同一の発明概念に基づき、本出願の実施例においてデータ伝送方法に対応するデータ伝送装置が提供され、該装置が問題を解決する原理が本出願の実施例によるデータ伝送方法と類似するため、該装置の実施について方法の実施を参照することができ、繰り返し点について説明を省略する。
【０１５３】
実施例９．
図１１は本出願の実施例９によるデータ伝送装置１１０の構造図である。前記データ伝送装置１１０は取得モジュール１１１と確定モジュール１１２を備える。
【０１５４】
取得モジュール１１１はユーザ装置（ＵＥ）のサービス関連情報を取得するように構成される。
【０１５５】
確定モジュール１１２は前記ＵＥのサービス関連情報に対応するデータ伝送パス情報を確定するように構成される。
【０１５６】
選択可能に、前記データ伝送パス情報はサービス伝送スキーム情報及び／又は第一のユーザプレーンネットワーク要素情報を含み、ここで、確定されたサービス伝送スキームがユーザプレーンスキーム又は制御プレーンスキームであり、前記ユーザプレーンスキームがユーザプレーンによってアクセスネットワークとサービスデータを伝送するというスキームを指し、前記制御プレーンスキームがユーザプレーン、制御プレーンによってアクセスネットワークとサービスデータを伝送するというスキームを指す。
【０１５７】
選択可能に、前記サービス関連情報は、
サービスストリーム記述情報、サードパーティ識別情報、サービスタイプ情報、トラフィックタイプ情報、データ長さ情報、ＵＥタイプ情報、サードパーティ装置タイプ情報、サービス伝送スキーム指示情報、ＵＥ及び／又はサードパーティサーバーの位置情報のうちの一つ又は複数を含み、該サービス伝送プラン指示情報は、ユーザプレーンスキーム又は制御プレーンスキームを使用してサービスデータを伝送することを示すことに用いられ、前記ユーザプレーンスキームがユーザプレーンによってアクセスネットワークとサービスデータを伝送するというスキームを指し、前記制御プレーンスキームがユーザプレーン、制御プレーンによってアクセスネットワークとサービスデータを伝送するというスキームを指す。
【０１５８】
選択可能に、前記サードパーティ識別情報はサードパーティサービス事業者識別情報及び／又はサードパーティサービス事業者の下のサブサービス事業者識別情報を含む。
【０１５９】
前記サービスストリーム記述情報はＩＰの５要素、ユニフォームリソースロケータ（ＵＲＬ）、サービスストリーム識別子のうちの一つ又は複数を含む。
【０１６０】
選択可能に、前記装置はさらに判定モジュール１１３を備える。
【０１６１】
判定モジュール１１３は前記ＵＥの初回アタッチリクエストを受信した後、データベースから前記ＵＥのサブスクリプション情報又はポリシー情報を取得し、前記ＵＥのサブスクリプション情報又はポリシー情報に基づき、前記ＵＥのためのデータ接続を確立する必要があるか否かを判定するように構成され、又は、前記ＵＥによって送信された初回アタッチリクエストにおける指示に応じて、前記ＵＥのためのデータ接続を確立する必要があるか否かを判定するように構成される。
【０１６２】
選択可能に、前記装置１１０は、
サードパーティサーバー、アプリケーションイネーブルメントプラットフォーム、ドメインネームシステム（ＤＮＳ）、データベース、ネットワーク側におけるパス選択機能を有する独立したネットワーク要素、制御プレーンネットワーク要素、制御プレーンの第二の機能エンティティ、第二のユーザプレーンネットワーク要素、アクセスネットワーク要素のうちのいずれかの一つであり、ここで、制御プレーンに制御プレーンの第一の機能エンティティと制御プレーンの第二の機能エンティティが存在し、前記制御プレーンの第一の機能エンティティがＵＥのモビリティコンテキストを管理し、前記制御プレーンの第二の機能エンティティがＵＥのセッションコンテキストを管理する。
【０１６３】
選択可能に、前記データベースはホーム加入者サーバー（ＨＳＳ）、又はポリシーデータベース、又はネットワーク側におけるデータ管理機能を有する独立したネットワーク要素である。
【０１６４】
選択可能に、前記装置１１０は前記制御プレーンネットワーク要素又は制御プレーンの第二の機能エンティティであり、取得モジュール１１１は具体的に指示ネットワーク要素によって送信されたデータ接続確立指示情報を受信し、前記データ接続確立指示情報に基づき、前記ＵＥのサービス関連情報を取得するように構成され、前記データ接続確立指示情報が前記ＵＥのための前記ＵＥのサービス関連情報に対応するデータ伝送パス情報を確定するように前記装置１１０に指示することに用いられる。
【０１６５】
選択可能に、前記データ接続確立指示情報に前記ＵＥのサービス関連情報が含まれ、又は、
前記データ接続確立指示情報に前記ＵＥのサービス関連情報が含まれなく、取得モジュール１１１は具体的に、
前記データ接続確立指示情報におけるＵＥ識別情報に基づき、ローカル、データベース、ポリシーサーバー、ドメインネームシステム（ＤＮＳ）サーバー、サードパーティサーバー、アプリケーションイネーブルメントプラットフォーム又はネットワーク側の独立したネットワーク要素において、前記ＵＥのサービス関連情報をクエリするように構成される。
【０１６６】
選択可能に、前記指示ネットワーク要素は、
サードパーティサーバー、アプリケーションイネーブルメントプラットフォーム、ドメインネームシステム（ＤＮＳ）サーバー、データベース、ネットワーク側におけるパス選択機能を有する独立したネットワーク要素のいずれかの一つである。
【０１６７】
選択可能に、前記指示ネットワーク要素がサードパーティサーバーであり、前記装置１１０が前記制御プレーンネットワーク要素である場合、取得モジュール１１１は具体的に前記サードパーティサーバーから前記アプリケーションイネーブルメントプラットフォームを介して送信された前記データ接続確立指示情報を受信するように構成される。
【０１６８】
選択可能に、前記装置１１０が前記制御プレーンの第二の機能エンティティである場合、取得モジュール１１１は具体的に、
前記制御プレーンの第一の機能エンティティから送信された、前記指示ネットワーク要素からのデータ接続確立指示情報を受信するように構成され、ここで前記指示ネットワーク要素からのデータ接続確立指示情報に前記ＵＥのサービス関連情報が含まれ又は含まれなく、又は、
前記制御プレーンの第一の機能エンティティから送信された、前記指示ネットワーク要素からのデータ接続確立指示情報及び前記制御プレーンの第一の機能エンティティによってクエリして得られた前記ＵＥのサービス関連情報を受信するように構成され、ここで前記指示ネットワーク要素からのデータ接続確立指示情報に前記ＵＥのサービス関連情報が含まれない。
【０１６９】
選択可能に、前記装置１１０が前記制御プレーンネットワーク要素である場合、取得モジュール１１１は具体的に、
第二のユーザプレーンネットワーク要素から送信された、前記指示ネットワーク要素からのデータ接続確立指示情報を受信するように構成され、ここで前記指示ネットワーク要素からのデータ接続確立指示情報に前記ＵＥのサービス関連情報が含まれ又は含まれなく、又は、
前記制御プレーンの第二の機能エンティティ送信された、前記指示ネットワーク要素からのデータ接続確立指示情報及び前記第二のユーザプレーンネットワーク要素によってクエリして得られた前記ＵＥのサービス関連情報を受信するように構成され、ここで前記指示ネットワーク要素からのデータ接続確立指示情報に前記ＵＥのサービス関連情報が含まれない。
【０１７０】
選択可能に、前記装置はさらに、
前記ＵＥのデータ伝送パス情報をサードパーティサーバーに通知するように構成される第一の送信モジュール１１４を備える。
【０１７１】
選択可能に、取得モジュール１１１は具体的に、
ユーザ装置ＵＥによって送信されたアクセスリクエストを受信し、前記アクセスリクエストに基づき、前記ＵＥのサービス関連情報を取得するように構成される。
【０１７２】
選択可能に、前記アクセスリクエストは初回アタッチリクエスト又はサービスリクエストである。
【０１７３】
選択可能に、前記アクセスリクエストに前記ＵＥのサービス関連情報が含まれ、又は、
前記アクセスリクエストに前記ＵＥのサービス関連情報が含まれなく、取得モジュール１０１は具体的に、
前記アクセスリクエストにおけるＵＥ識別情報に基づき、ローカル、データベース、ポリシーサーバー、ドメインネームシステム（ＤＮＳ）サーバー、サードパーティサーバー、アプリケーションイネーブルメントプラットフォーム又はネットワーク側の独立したネットワーク要素において、前記ＵＥのサービス関連情報をクエリするように構成される。
【０１７４】
選択可能に、前記装置１１０が前記制御プレーンの第二の機能エンティティである場合、取得モジュール１１１は具体的に、
前記制御プレーンの第一の機能エンティティから送信された前記アクセスリクエストを受信するように構成され、前記アクセスリクエストに前記ＵＥのサービス関連情報が含まれ又は含まれなく、又は、
前記制御プレーンの第一の機能エンティティから送信された前記アクセスリクエスト及び前記制御プレーンの第一の機能エンティティによってクエリして得られた前記ＵＥのサービス関連情報を受信するように構成され、ここで前記アクセスリクエストに前記ＵＥのサービス関連情報が含まれない。
【０１７５】
選択可能に、前記装置１１０は前記制御プレーンネットワーク要素又は制御プレーンの第二の機能エンティティであり、
確定モジュール１１２は具体的に、
ローカル、データベース、ポリシーサーバー、ドメインネームシステム（ＤＮＳ）サーバー、サードパーティサーバー、アプリケーションイネーブルメントプラットフォーム又はネットワーク側のパス選択機能を有する独立したネットワーク要素において、前記ＵＥのサービス関連情報に対応するデータ伝送パス情報をクエリするように構成される。
【０１７６】
選択可能に、前記装置１１０は前記制御プレーンネットワーク要素又は制御プレーンの第二の機能エンティティであり、前記確定されたサービス伝送スキームはユーザプレーンスキームであり、
前記装置はさらに、
確定されたデータ伝送パスにおける第一のユーザプレーンネットワーク要素、前記ＵＥにアタッチされたアクセスネットワーク要素、及び前記ＵＥへリソース割り当て指示情報を送信するように構成され、前記リソース割り当て指示情報がユーザプレーンスキームを使用することを示し、そしてサービスデータ伝送リソースを割り当てるように前記第一のユーザプレーンネットワーク要素、アクセスネットワーク要素、及び前記ＵＥに指示することに用いられる第一の指示モジュール１１５を備える。
【０１７７】
選択可能に、前記装置はさらに、
指示ネットワーク要素から送信されたデータ接続削除指示情報を受信し、前記データ接続削除指示情報に基づき、前記ＵＥに割り当てられたサービスデータ伝送リソースを解放するように前記ＵＥにアクセスされる第一のユーザプレーンネットワーク要素及びアクセスネットワーク要素に指示するように構成される第二の指示モジュール１１６を備える。
【０１７８】
選択可能に、前記装置１１０は前記制御プレーンネットワーク要素又は制御プレーンの第二の機能エンティティであり、前記確定されたサービス伝送スキームは制御プレーンスキームであり、
前記装置はさらに、
確定されたデータ伝送パスにおける第一のユーザプレーンネットワーク要素へリソース割り当て指示情報を送信するように構成され、前記リソース割り当て指示情報が制御プレーンスキームを使用して前記ＵＥのためにサービスデータを伝送することを示し、そしてサービスデータ伝送リソースを割り当てるように前記第一のユーザプレーンネットワーク要素に指示することに用いられる第三の指示モジュール１１７を備える。
【０１７９】
選択可能に、前記装置はさらに、
指示ネットワーク要素から送信されたデータ接続削除指示情報を受信し、前記データ接続削除指示情報に基づき、前記ＵＥに割り当てられたサービスデータ伝送リソースを解放するように前記ＵＥにアクセスされる第一のユーザプレーンネットワーク要素に指示するように構成される第四の指示モジュール１１８を備える。
【０１８０】
選択可能に、前記リソース割り当て指示情報はさらにサービスストリーム記述情報を含み、サービスストリーム記述情報と割り当てられたサービスデータ伝送リソースとのマッピング関係を保存するように指示することに用いられ、これにより送信待ちサービスデータを受信する時に、送信待ちサービスデータに含まれるサービスストリーム記述情報に基づいてそれに対応するサービスデータ伝送リソースを確定する。
【０１８１】
選択可能に、前記リソース割り当て指示情報はさらにサービス品質（ＱｏＳ）ポリシーを含み、前記ＱｏＳポリシーを満たすサービスデータ伝送リソースを割り当てるように指示することに用いられる。
選択可能に、取得モジュール１１１はさらに以下のステップに基づいて前記ＱｏＳポリシーを取得するように構成される：
【０１８２】
取得された前記サービス関連情報に基づき、ローカル、データベース、ポリシーサーバー、ドメインネームシステム（ＤＮＳ）サーバー、サードパーティサーバー、アプリケーションイネーブルメントプラットフォーム又はネットワーク側におけるパス選択機能を有する独立したネットワーク要素において前記サービス関連情報に対応するＱｏＳポリシーをクエリする。
【０１８３】
選択可能に、前記装置１１０がサードパーティサーバー、アプリケーションイネーブルメントプラットフォーム、ドメインネームシステム（ＤＮＳ）サーバー、データベース、又はネットワーク側における独立したネットワーク要素である場合、前記装置はさらに、
確定されたデータ伝送パス情報を前記ＵＥにアクセスされる制御プレーンネットワーク要素又は制御プレーンの第二の機能エンティティに送信するように構成される第二の送信モジュール１１９を備える。
【０１８４】
選択可能に、前記装置１１０がサードパーティサーバーである場合、第二の送信モジュール１１９は具体的に、
アプリケーションイネーブルメントプラットフォームを介して確定されたデータ伝送パス情報を前記ＵＥにアクセスされる制御プレーンネットワーク要素に送信し、又は、アプリケーションイネーブルメントプラットフォームを介して確定されたデータ伝送パス情報を制御プレーンの第一の機能エンティティに送信して制御プレーンの第一の機能エンティティによって制御プレーンの第二の機能エンティティに送信し、アプリケーションイネーブルメントプラットフォームを介して確定されたデータ伝送パス情報を送信するように構成される。
【０１８５】
実施例１０．
図１２は本出願の実施例１０によるデータ伝送装置１２０の構造図である。前記データ伝送装置１２０は確定モジュール１２１と送信モジュール１２２を備える。
【０１８６】
確定モジュール１２１はデータ接続確立指示情報を確定するように構成され、前記データ接続確立指示情報が前記ＵＥのための前記ＵＥのサービス関連情報に対応するデータ伝送パス情報を確定するように第一の装置に指示することに用いられる。
【０１８７】
送信モジュール１２２はデータ接続確立指示情報を前記第一の装置に送信するように構成される。
【０１８８】
選択可能に、前記データ伝送装置１２０がサードパーティサーバーであり、前記第一の装置が制御プレーンネットワーク要素又は制御プレーンの第二の機能エンティティである場合、送信モジュール１２２は具体的に、
前記データ接続確立指示情報をアプリケーションイネーブルメントプラットフォームを介して前記制御プレーンネットワーク要素に送信するように構成され、又は、前記データ接続確立指示情報をアプリケーションイネーブルメントプラットフォームを介して第二のユーザプレーンネットワーク要素に送信し、第二のユーザプレーンネットワーク要素によって前記制御プレーンネットワーク要素に送信するように構成され、又は、
前記データ接続確立指示情報をアプリケーションイネーブルメントプラットフォームを介して制御プレーンの第一の機能エンティティに送信し、制御プレーンの第一の機能エンティティによって制御プレーンの第二の機能エンティティに送信するように構成され、又は、前記データ接続確立指示情報をアプリケーションイネーブルメントプラットフォームを介して第二のユーザプレーンネットワーク要素に送信し、第二のユーザプレーンネットワーク要素によって制御プレーンの第一の機能エンティティに送信し、制御プレーンの第一の機能エンティティによって制御プレーンの第二の機能エンティティに送信するように構成される。
【０１８９】
実施例１１．
図１３は本出願の実施例１１によるデータ伝送装置１３０の構造図であり、前記データ伝送装置１３０は受信モジュール１３１と送信モジュール１３２を備える。
【０１９０】
送信モジュール１３１は指示ネットワーク要素によって送信されたデータ接続確立指示情報を受信するように構成される。
【０１９１】
送信モジュール１３２は、制御プレーンの第二の機能エンティティが前記ＵＥのための前記ＵＥのサービス関連情報に対応するデータ伝送パス情報を確定するように、前記データ接続確立指示情報を制御プレーンの第二の機能エンティティに送信するように構成される。
【０１９２】
選択可能に、前記データ接続確立指示情報に前記ＵＥのサービス関連情報が含まれない場合、送信モジュール１３２はさらに、
前記データ接続確立指示情報におけるユーザ装置（ＵＥ）識別情報に基づいて前記ＵＥのサービス関連情報をクエリし、前記データ接続確立指示情報及び前記ＵＥのサービス関連情報を制御プレーンの第二の機能エンティティに送信するように構成される。
【０１９３】
選択可能に、前記指示ネットワーク要素がサードパーティサーバーである場合、受信モジュール１２１は具体的に、
前記サードパーティサーバーから前記アプリケーションイネーブルメントプラットフォームを介して送信された前記データ接続確立指示情報を受信するように構成される。
【０１９４】
選択可能に、受信モジュール１３１は具体的に、
第二のユーザプレーンネットワーク要素から送信された、前記指示ネットワーク要素からのデータ接続確立指示情報を受信するように構成される。
【０１９５】
実施例１２．
図１４は本出願の実施例によるデータ伝送装置１４０の構造図である。前記データ伝送装置１４０は受信モジュール１４１と送信モジュール１４２を備える。
【０１９６】
受信モジュール１４１は指示ネットワーク要素からのデータ接続確立指示情報を受信するように構成される。
【０１９７】
送信モジュール１４２は前記制御プレーンネットワーク要素が前記ＵＥのサービス関連情報に対応するデータ伝送パス情報を確定するように、前記データ接続確立指示情報を制御プレーンネットワーク要素に送信するように構成され、又は、
前記制御プレーンの第二の機能エンティティが前記ＵＥのサービス関連情報に対応するデータ伝送パス情報を確定するように、前記データ接続確立指示情報を制御プレーンの第一の機能エンティティに送信し、制御プレーンの第一の機能エンティティによって制御プレーンの第二の機能エンティティに送信するように構成される。
【０１９８】
選択可能に、前記指示ネットワーク要素がサードパーティサーバーである場合、前記受信モジュール１３１は具体的に、
前記サードパーティサーバーから前記アプリケーションイネーブルメントプラットフォームを介して送信された前記データ接続確立指示情報を受信するように構成される。
【０１９９】
選択可能に、前記データ接続確立指示情報に前記ＵＥのサービス関連情報が含まれない場合、送信モジュール１４２は具体的に、
前記データ接続確立指示情報におけるユーザ装置（ＵＥ）識別情報に基づいて前記ＵＥのサービス関連情報をクエリし、前記データ接続確立指示情報及び前記ＵＥのサービス関連情報を制御プレーンの第二の機能エンティティに送信するように構成される。
【０２００】
実施例１３．
図１５は本出願の実施例１３によるデータ伝送装置１５０の構造図である。前記データ伝送装置１５０は受信モジュール１５１と送信モジュール１５２を備える。
【０２０１】
受信モジュール１５１はＵＥによって送信されたアクセスリクエストを受信するように構成される。
【０２０２】
送信モジュール１５２は制御プレーンの第二の機能エンティティが前記ＵＥのための前記ＵＥのサービス関連情報に対応するデータ伝送パス情報を確定するように、前記アクセスリクエストを制御プレーンの第二の機能エンティティに送信するように構成される。
【０２０３】
選択可能に、前記アクセスリクエストに前記ＵＥのサービス関連情報が含まれない場合、送信モジュール１５２は具体的に、
前記アクセスリクエストにおけるユーザ装置（ＵＥ）識別情報に基づいて前記ＵＥのサービス関連情報をクエリし、前記アクセスリクエスト及び前記ＵＥのサービス関連情報を制御プレーンの第二の機能エンティティに送信するように構成される。
【０２０４】
実施例１４．
図１６は本出願の実施例１４によるデータ伝送装置１６０の構造図である。前記データ伝送装置１６０は確定モジュール１６１と送信モジュール１６２を備える。
【０２０５】
確定モジュール１６１はアクセスリクエストを確定するように構成され、前記アクセスリクエストにＵＥ識別情報及び／サービス関連情報が含まれる。
【０２０６】
送信モジュール１６２は前記第一の装置が前記ＵＥのための前記ＵＥのサービス関連情報に対応するデータ伝送パス情報を確定するように、第一の装置へ前記アクセスリクエストを送信するように構成される。
【０２０７】
選択可能に、前記第一の装置は制御プレーンネットワーク要素又は制御プレーンの第二の機能エンティティであり、
前記第一の装置が制御プレーンの第二の機能エンティティである場合、送信モジュール１５２は具体的に、
前記制御プレーンの第一の機能エンティティが前記アクセスリクエストを制御プレーンの第二の機能エンティティに送信するように、前記アクセスリクエストを制御プレーンの第一の機能エンティティに送信するように構成される。
【０２０８】
選択可能に、前記装置はさらに、
初回アタッチリクエストを開始する時に、データ接続を確立する必要がないことを示すように構成される指示モジュールを備える。
【０２０９】
実施例１４．
図１７は本出願の実施例１５によるデータ伝送装置１７０の構造図である。前記データ伝送装置１７０は確定モジュール１７１と送信モジュール７１２を備える。
【０２１０】
確定モジュール１７１は登録リクエスト情報を確定するように構成され、前記登録リクエスト情報にユーザ装置（ＵＥ）識別情報及び第二の装置識別情報が含まれ、前記第二の装置が制御プレーンネットワーク要素、制御プレーンの第一の機能エンティティ又は制御プレーンの第二の機能エンティティである。
【０２１１】
送信モジュール１７２は、第一の装置が前記ＵＥ識別情報と第二の装置識別情報との対応関係を保存し、前記対応関係に基づき、前記ＵＥのためのデータ接続を確立するように、前記登録リクエスト情報を第一の装置に送信するように構成される。
【０２１２】
実施例１５．
図１８は本出願の実施例１６によるデータ伝送装置１８０の構造図である。前記データ伝送装置１８０は受信モジュール１８１、保存モジュール１８２とデータ接続確立モジュール１８３を備える。
【０２１３】
受信モジュール１８１は第二の装置から送信された登録リクエスト情報を受信するように構成され、前記第二の装置が制御プレーンネットワーク要素、制御プレーンの第一の機能エンティティ又は制御プレーンの第二の機能エンティティである。
【０２１４】
保存モジュール１８２は前記ＵＥ識別情報と第二の装置識別情報との対応関係を保存するように構成される。
【０２１５】
データ接続確立モジュール１８３は前記ＵＥのためのデータ接続を確立する必要がある時に、前記ＵＥ識別情報に対応する第二の装置識別子をクエリし、クエリして得られた第二の装置識別情報に基づき、前記ＵＥのためのデータ接続を確立するように構成される。
【０２１６】
さらに、本出願はさらにプロセッサとプロセッサで実行可能なコンピュータプログラムを記憶するためのメモリを備えるデータ伝送装置を提供することができる。
【０２１７】
ここで、前記プロセッサは前記コンピュータプログラムを実行する時に、上記方法のステップを実行するように構成される。
【０２１８】
本出願はさらにコンピュータプログラムを記憶している記憶媒体を提供することができ、ここで、該コンピュータプログラムがプロセッサで実行される時に上記方法のステップを実現する。
【０２１９】
当業者であれば、本出願の実施例が方法、システム、又はコンピュータプログラム製品として提供されてもよいことは理解すべきである。したがって、本出願は完全なハードウェア実施例、完全なソフトウェア実施例、又はソフトウェアとハードウェアを組み合わせた実施例の形態を採用することができる。そして、本出願はコンピュータ使用可能プログラムコードを含む一つ又は複数のコンピュータ使用可能記憶媒体（磁気ディスクメモリ、ＣＤ−ＲＯＭ、光学メモリなどを含むがこれらに限定されない）で実施されるコンピュータプログラム製品の形態を採用することができる。
【０２２０】
本出願は本出願の実施例による方法、装置（システム）、及びコンピュータプログラム製品のフローチャート及び／又はブロック図を参照して説明される。コンピュータプログラム命令によってフローチャート及び／又はブロック図における各プロセス及び／又はブロック、及びフローチャー及び／又はブロック図におけるプロセス及び／又はブロックの組み合わせを実現することができる。これらのコンピュータプログラム命令を汎用コンピュータ、専用コンピュータ、組込みプロセッサ又は他のプログラマブルデータ処理装置用のプロセッサに提供して一つのマシンを生成することができ、これによりコンピュータ又はプログラマブルデータ処理装置用のプロセッサで実行される命令によってフローチャートにおける一つのプロセス又は複数のプロセス及び／又はブロックにおける一つのブロック又は複数のブロックにおける指定された機能を実現するための装置が生成される。
【０２２１】
これらのコンピュータプログラム命令は特定方式で動作するようにコンピュータ又は他のプログラマブルデータ処理装置を案内することができるコンピュータ可読メモリに記憶されてもよく、これにより、該コンピュータ可読メモリに記憶された命令によって命令装置を含む製造品が生成され、該命令装置がフローチャートにおける一つ又は複数のプロセス及び／又はブロック図における一つ又は複数のブロックにおける指定された機能を実現する。
【０２２２】
これらのコンピュータプログラム命令はコンピュータ又は他のプログラム可能データ処理装置にロードされてもよく、これによりコンピュータ又はその他のプログラマブルデバイスで一連の操作手順を実行してコンピュータで実行される処理を生成し、それによってコンピュータ又はその他のプログラマブルデバイスで実行される命令により、フローチャートにおける一つ又は複数のプロセス及び／又はブロック図における一つ又は複数のブロックにおける指定された機能を実現するためのステップが提供される。
【０２２３】
本出願の好ましい実施例を説明したが、当業者は基本的な創造的概念を知ると、これらの実施例に対して別の変更及び修正を行うことができる。したがって、添付の特許請求の範囲は好ましい実施形態及び本申請範囲に属する全ての変更及び修正を含むと解釈されることが意図される。
【０２２４】
明らかに、当業者は本出願の精神及び範囲から逸脱することなく本出願に対して様々な変更及び変形を行うことができる。このようにして、本出願のこれらの変更及び変形が本出願の特許請求の範囲及びその同等技術範囲内に属する場合、本出願もこれらの変更及び変形を含むことを意図する。
【図１】
2019521593.tif 000003
【図２】
2019521593.tif 000004
【図３】
2019521593.tif 000005
【図４】
2019521593.tif 000006
【図５】
2019521593.tif 000007
【図６】
2019521593.tif 000008
【図７】
2019521593.tif 000009
【図８】
2019521593.tif 000010
【図９】
2019521593.tif 000011
【図１０】
2019521593.tif 000012
【図１１】
2019521593.tif 000013
【図１２】
2019521593.tif 000014
【図１３】
2019521593.tif 000015
【図１４】
2019521593.tif 000016
【図１５】
2019521593.tif 000017
【図１６】
2019521593.tif 000018
【図１７】
2019521593.tif 000019
【図１８】
2019521593.tif 000020
【国際調査報告】
2019521593.tif 000021
2019521593.tif 000022
2019521593.tif 000023
2019521593.tif 000024